(57)【要約】【課題】一の端末で取得したＵＲＬ情報を、他の端末から参照可能とするための技術であって、ＵＲＬ情報を予め、ＵＲＬ情報を配信する装置に登録しておかなくてもよい技術を提供する。【解決手段】携帯端末２は、ＵＲＬ情報配信装置１に対し、携帯端末２の端末識別情報、及びＵＲＬ情報を送信する。  これに対し、ＵＲＬ情報配信装置１は、端末識別情報と、ユーザ識別情報とを記憶するユーザ情報ＤＢ１Ａを参照してユーザ識別情報を特定し、ユーザ識別情報とＵＲＬ情報とを関連付けてＵＲＬ情報ＤＢ１Ｂに記憶する。他方、ＰＣ端末３からユーザ識別情報と共にＵＲＬ情報の配信要求を受信すると、ユーザ情報ＤＢ１Ａを参照して、ユーザ識別情報と関連付けられているＵＲＬ情報を抽出すると共に、ハイパーリンクを生成した上、ＰＣ端末３に対して、当該ハイパーリンクの生成されたＵＲＬ情報を一覧化したＷｅｂページを配信する。【選択図】図２
2011150440.tif 000002
【特許請求の範囲】
【請求項１】
ユーザが利用する第一及び第二の端末と、当該ユーザからの要求に応じて、上記第一の端末から受け付けたＵＲＬ情報を上記第二の端末に配信するＵＲＬ情報配信装置と、がネットワークを介して通信可能に構成されたシステムであって、
上記第一の端末は、
上記ＵＲＬ情報配信装置に対し、上記第一の端末を識別する端末識別情報、及び上記ＵＲＬ情報を送信するＵＲＬ情報送信手段、を有し、
上記ＵＲＬ情報配信装置は、
上記端末識別情報と、上記ユーザを識別するユーザ識別情報とを記憶するユーザ情報記憶手段と、
上記第一の端末から、上記端末識別情報、及び上記ＵＲＬ情報を受信する第一のＵＲＬ情報受信手段と、
上記ユーザ情報記憶手段を参照して、上記端末識別情報と関連付けて記憶されているユーザ識別情報を特定するユーザ特定手段と、
上記第一の端末から受信した情報からＵＲＬ情報を特定するＵＲＬ情報特定手段と、
上記特定されたＵＲＬ情報を抽出する第一のＵＲＬ情報抽出手段と、
上記特定されたユーザ識別情報と、上記抽出されたＵＲＬ情報とを関連付けて記憶するＵＲＬ情報記憶手段と、
上記第二の端末から、上記ユーザ識別情報と共に、ＵＲＬ情報の配信要求を受信する配信要求受信手段と、
上記ＵＲＬ情報記憶手段を参照して、上記ユーザ識別情報と関連付けて記憶されているＵＲＬ情報を抽出する第二のＵＲＬ情報抽出手段と、
上記抽出されたＵＲＬ情報にハイパーリンクを生成するリンク生成手段と、
上記第二の端末に対して、上記ハイパーリンクの生成されたＵＲＬ情報を一覧化したＷｅｂページを配信するＵＲＬ情報配信手段と、を有し、
上記第二の端末は、
上記ＵＲＬ情報配信装置に対し、上記ユーザ識別情報と共に、当該ユーザ識別情報と関連付けて記憶されているＵＲＬ情報の配信要求を送信する配信要求送信手段と、
上記ＵＲＬ情報配信装置から、上記ハイパーリンクの生成されたＵＲＬ情報を一覧化したＷｅｂページを受信する第二のＵＲＬ情報受信手段と、
上記Ｗｅｂページを表示するＵＲＬ情報表示手段と、を有する、
ことを特徴とするＵＲＬ情報配信システム。
【請求項２】
上記第一の端末は、
上記ＵＲＬ情報送信手段が、上記ＵＲＬ情報配信装置に対し、上記第一の端末を識別する端末識別情報、上記ＵＲＬ情報、及び当該ＵＲＬ情報が指し示すＷｅｂページに関するタイトル情報を送信し、
上記ＵＲＬ情報配信装置は、
上記第一の端末から受信した情報について、上記タイトル情報の有無を判別し、上記タイトル情報があった場合に、上記タイトル情報を抽出する第一のタイトル情報抽出手段と、
上記第二の端末からのＵＲＬ情報の配信要求に応じて、上記ＵＲＬ情報記憶手段を参照して、上記第二のＵＲＬ情報抽出手段によって抽出されたＵＲＬ情報と関連付けて記憶されているタイトル情報を抽出する第二のタイトル情報抽出手段と、を有し、
上記第一のＵＲＬ情報受信手段が、上記第一の端末から、上記端末識別情報、上記ＵＲＬ情報、及び上記タイトル情報を受信し、
上記ＵＲＬ情報記憶手段が、上記ユーザ特定手段により特定されたユーザ識別情報と、上記抽出されたＵＲＬ情報及びタイトル情報とを関連付けて記憶し、
上記ＵＲＬ情報配信手段は、上記第二の端末に対して、上記ハイパーリンクの生成されたＵＲＬ情報と上記タイトル情報とを一覧化したＷｅｂページを配信し、
上記第二の端末は、
上記第二のＵＲＬ情報受信手段が、上記ＵＲＬ情報配信装置から、上記ハイパーリンクの生成されたＵＲＬ情報と上記タイトル情報とを一覧化したＷｅｂページを受信する、
請求項１記載のＵＲＬ情報配信システム。
【請求項３】
上記第一の端末は、
上記ＵＲＬ情報と上記タイトル情報とをメール内容とし、上記ＵＲＬ情報配信装置を宛先とするメールを生成するメール生成手段、を有し、
上記ＵＲＬ情報送信手段が、上記生成されたメールにより、上記ＵＲＬ情報配信装置に対し、上記第一の端末を識別する端末識別情報、上記ＵＲＬ情報、及び上記タイトル情報とを送信する、
請求項２記載のＵＲＬ情報配信システム。
【請求項４】
ユーザが利用する第一及び第二の端末と、当該ユーザからの要求に応じて、上記第一の端末から受け付けたＵＲＬ情報を上記第二の端末に配信するＵＲＬ情報配信装置と、がネットワークを介して通信可能に構成されたシステムであって、
上記第一の端末は、
上記ＵＲＬ情報を第一の引数として含み、上記ＵＲＬ情報配信装置をアクセス先とするネットワーク上のアドレスに基づいて、上記ＵＲＬ情報配信装置にアクセスするアクセス手段と、
上記ＵＲＬ情報配信装置に対し、上記第一の端末を識別する端末識別情報を送信する端末識別情報送信手段と、を有し、
上記ＵＲＬ情報配信装置は、
上記端末識別情報と、上記ユーザを識別するユーザ識別情報とを記憶するユーザ情報記憶手段と、
上記第一の端末から、上記端末識別情報を受信する端末識別情報受信手段と、
上記第一の端末がアクセス先として指定した上記アドレスから、上記第一の引数として含まれているＵＲＬ情報を特定するＵＲＬ情報特定手段と、
上記特定されたＵＲＬ情報を抽出する第一のＵＲＬ情報抽出手段と、
上記ユーザ情報記憶手段を参照して、上記端末識別情報と関連付けて記憶されているユーザ識別情報を特定するユーザ特定手段と、
上記特定されたユーザ識別情報と、上記ＵＲＬ情報とを関連付けて記憶するＵＲＬ情報記憶手段と、
上記第二の端末から、上記ユーザ識別情報と共に、ＵＲＬ情報の配信要求を受信する配信要求受信手段と、
上記ＵＲＬ情報記憶手段を参照して、上記ユーザ識別情報と関連付けて記憶されているＵＲＬ情報を抽出する第二のＵＲＬ情報抽出手段と、
上記抽出されたＵＲＬ情報にハイパーリンクを生成するリンク生成手段と、
上記第二の端末に対して、上記ハイパーリンクの生成されたＵＲＬ情報を一覧化したＷｅｂページを配信するＵＲＬ情報配信手段と、を有し、
上記第二の端末は、
上記ＵＲＬ情報配信装置に対し、上記ユーザ識別情報と共に、当該ユーザ識別情報と関連付けて記憶されているＵＲＬ情報の配信要求を送信する配信要求送信手段と、
上記ＵＲＬ情報配信装置から、上記ハイパーリンクの生成されたＵＲＬ情報を一覧化したＷｅｂページを受信する第二のＵＲＬ情報受信手段と、
上記Ｗｅｂページを表示するＵＲＬ情報表示手段と、を有する、
ことを特徴とするＵＲＬ情報配信システム。
【請求項５】
上記第一の端末は、
上記アクセス手段が、上記ＵＲＬ情報を第一の引数として含むと共に、当該ＵＲＬ情報が指し示すＷｅｂページに関するタイトル情報を第二の引数として含み、上記ＵＲＬ情報配信装置をアクセス先とするネットワーク上のアドレスに基づいて、上記ＵＲＬ情報配信装置にアクセスし、
上記ＵＲＬ情報配信装置は、
上記第一の端末がアクセス先として指定した上記アドレスについて、上記第二の引数として含まれているタイトル情報の有無を判別し、上記タイトル情報があった場合に、上記タイトル情報を抽出する第一のタイトル情報抽出手段と、
上記第二の端末からのＵＲＬ情報の配信要求に応じて、上記ＵＲＬ情報記憶手段を参照して、上記第一のＵＲＬ情報抽出手段によって抽出されたＵＲＬ情報と関連付けて記憶されているタイトル情報を抽出する第二のタイトル情報抽出手段と、を有し、
上記ＵＲＬ情報記憶手段が、上記ユーザ特定手段により特定されたユーザ識別情報と、上記抽出されたＵＲＬ情報及びタイトル情報とを関連付けて記憶し、
上記ＵＲＬ情報配信手段が、上記第二の端末に対して、上記ハイパーリンクの生成されたＵＲＬ情報と上記タイトル情報とを一覧化したＷｅｂページを配信し、
上記第二の端末は、
上記第二のＵＲＬ情報受信手段が、上記ＵＲＬ情報配信装置から、上記ハイパーリンクの生成されたＵＲＬ情報と上記タイトル情報とを一覧化したＷｅｂページを受信する、
請求項４記載のＵＲＬ情報配信システム。
【請求項６】
上記リンク生成手段が、上記抽出されたタイトル情報に、上記抽出されたＵＲＬ情報を参照先とするハイパーリンクを生成し、
上記ＵＲＬ情報配信手段が、上記第二の端末に対して、上記ＵＲＬ情報を参照先としたハイパーリンクの生成されたタイトル情報を一覧化したＷｅｂページを配信し、
上記第二の端末は、
上記第二のＵＲＬ情報受信手段が、上記ＵＲＬ情報配信装置から、上記ＵＲＬ情報を参照先としたハイパーリンクの生成されたタイトル情報を一覧化したＷｅｂページを受信する、
請求項２、３、又は５記載のＵＲＬ情報配信システム。
【請求項７】
上記ＵＲＬ情報特定手段は、所定の通信プロトコルを識別子として上記ＵＲＬ情報を特定する、
請求項１乃至６いずれかの項に記載のＵＲＬ情報配信システム。
【請求項８】
上記ＵＲＬ情報配信装置は、
上記ＵＲＬ情報と、当該ＵＲＬ情報に含まれるドメインとを関連付けて記憶するドメイン情報記憶手段、を有し、
上記ＵＲＬ情報特定手段は、上記ドメイン情報記憶手段に記憶されているドメインに基づき、上記メール内容からＵＲＬ情報を特定する、
請求項１乃至６いずれかの項に記載のＵＲＬ情報配信システム。
【請求項９】
上記第一の端末は携帯端末であり、上記第二の端末はＰＣ端末である、
請求項１乃至８いずれかの項に記載のＵＲＬ情報配信システム。
【請求項１０】
ユーザが利用する第一及び第二の端末と、
上記端末識別情報と、上記ユーザを識別するユーザ識別情報とを記憶するユーザ情報記憶手段を有するＵＲＬ情報配信装置とが、ネットワークを介して通信可能に構成されたシステムにより、当該ユーザからの要求に応じて、上記第一の端末から受け付けたＵＲＬ情報を上記第二の端末に配信する方法であって、
上記第一の端末は、
上記ＵＲＬ情報配信装置に対し、上記第一の端末を識別する端末識別情報、及び上記ＵＲＬ情報を送信する処理、を実行し、
上記ＵＲＬ情報配信装置は、
上記第一の端末から、上記端末識別情報、及び上記ＵＲＬ情報を受信する処理と、
上記ユーザ情報記憶手段を参照して、上記端末識別情報と関連付けて記憶されているユーザ識別情報を特定する処理と、
上記第一の端末から受信した情報からＵＲＬ情報を特定する処理と、
上記特定されたＵＲＬ情報を抽出する処理と、
上記特定されたユーザ識別情報と、上記抽出されたＵＲＬ情報とを関連付けてＵＲＬ情報記憶手段に記憶する処理と、
上記第二の端末から、上記ユーザ識別情報と共に、ＵＲＬ情報の配信要求を受信する処理と、
上記ＵＲＬ情報記憶手段を参照して、上記ユーザ識別情報と関連付けて記憶されているＵＲＬ情報を抽出する処理と、
上記抽出されたＵＲＬ情報にハイパーリンクを生成する処理と、
上記第二の端末に対して、上記ハイパーリンクの生成されたＵＲＬ情報を一覧化したＷｅｂページを配信する処理と、を実行し、
上記第二の端末は、
上記ＵＲＬ情報配信装置に対し、上記ユーザ識別情報と共に、当該ユーザ識別情報と関連付けて記憶されているＵＲＬ情報の配信要求を送信する処理と、
上記ＵＲＬ情報配信装置から、上記ハイパーリンクの生成されたＵＲＬ情報を一覧化したＷｅｂページを受信する処理と、
上記Ｗｅｂページを表示する処理と、を実行する、
ことを特徴とするＵＲＬ情報配信方法。
【請求項１１】
ユーザが利用する第一及び第二の端末と、
上記端末識別情報と、上記ユーザを識別するユーザ識別情報とを記憶するユーザ情報記憶手段を有するＵＲＬ情報配信装置とがネットワークを介して通信可能に構成されたシステムを、当該ユーザからの要求に応じて、上記第一の端末から受け付けたＵＲＬ情報を上記第二の端末に配信するシステムとして機能させるためのコンピュータプログラムであって、
上記第一の端末に対して、
上記ＵＲＬ情報配信装置に対し、上記第一の端末を識別する端末識別情報、及び上記ＵＲＬ情報を送信する処理、を実行させ、
上記ＵＲＬ情報配信装置に対して、
上記第一の端末から、上記端末識別情報、及び上記ＵＲＬ情報を受信する処理と、
上記ユーザ情報記憶手段を参照して、上記端末識別情報と関連付けて記憶されているユーザ識別情報を特定する処理と、
上記第一の端末から受信した情報からＵＲＬ情報を特定する処理と、
上記特定されたＵＲＬ情報を抽出する処理と、
上記特定されたユーザ識別情報と、上記ＵＲＬ情報とを関連付けてＵＲＬ情報記憶手段に記憶する処理と、
上記第二の端末から、上記ユーザ識別情報と共に、ＵＲＬ情報の配信要求を受信する処理と、
上記ＵＲＬ情報記憶手段を参照して、上記ユーザ識別情報と関連付けて記憶されているＵＲＬ情報を抽出する処理と、
上記抽出されたＵＲＬ情報にハイパーリンクを生成する処理と、
上記第二の端末に対して、上記ハイパーリンクの生成されたＵＲＬ情報を一覧化したＷｅｂページを配信する処理と、を実行させ、
上記第二の端末に対して、
上記ＵＲＬ情報配信装置に対し、上記ユーザ識別情報と共に、当該ユーザ識別情報と関連付けて記憶されているＵＲＬ情報の配信要求を送信する処理と、
上記ＵＲＬ情報配信装置から、上記ハイパーリンクの生成されたＵＲＬ情報を一覧化したＷｅｂページを受信する処理と、
上記Ｗｅｂページを表示する処理と、を実行させる、コンピュータプログラム。
【請求項１２】
ユーザが利用する第一及び第二の端末と、
上記端末識別情報と、上記ユーザを識別するユーザ識別情報とを記憶するユーザ情報記憶手段を有するＵＲＬ情報配信装置とが、ネットワークを介して通信可能に構成されたシステムにより、当該ユーザからの要求に応じて、上記第一の端末から受け付けたＵＲＬ情報を上記第二の端末に配信する方法であって、
上記第一の端末は、
上記ＵＲＬ情報を第一の引数として含み、上記ＵＲＬ情報配信装置をアクセス先とするネットワーク上のアドレスに基づいて、上記ＵＲＬ情報配信装置にアクセスする処理と、
上記ＵＲＬ情報配信装置に対し、上記第一の端末を識別する端末識別情報を送信する処理と、を実行し、
上記ＵＲＬ情報配信装置は、
上記第一の端末から、上記端末識別情報を受信する処理と、
上記第一の端末がアクセス先として指定した上記アドレスから、上記第一の引数として含まれているＵＲＬ情報を特定する処理と、
上記特定されたＵＲＬ情報を抽出する処理と、
上記ユーザ情報記憶手段を参照して、上記端末識別情報と関連付けて記憶されているユーザ識別情報を特定する処理と、
上記特定されたユーザ識別情報と、上記ＵＲＬ情報とを関連付けてＵＲＬ情報記憶手段に記憶する処理と、
上記第二の端末から、上記ユーザ識別情報と共に、ＵＲＬ情報の配信要求を受信する処理と、
上記ＵＲＬ情報記憶手段を参照して、上記ユーザ識別情報と関連付けて記憶されているＵＲＬ情報を抽出する処理と、
上記抽出されたＵＲＬ情報にハイパーリンクを生成する処理と、
上記第二の端末に対して、上記ハイパーリンクの生成されたＵＲＬ情報を一覧化したＷｅｂページを配信する処理と、を実行し、
上記第二の端末は、
上記ＵＲＬ情報配信装置に対し、上記ユーザ識別情報と共に、当該ユーザ識別情報と関連付けて記憶されているＵＲＬ情報の配信要求を送信する処理と、
上記ＵＲＬ情報配信装置から、上記ハイパーリンクの生成されたＵＲＬ情報を一覧化したＷｅｂページを受信する処理と、
上記Ｗｅｂページを表示する処理と、を実行する、
ことを特徴とするＵＲＬ情報配信方法。
【請求項１３】
ユーザが利用する第一及び第二の端末と、
上記端末識別情報と、上記ユーザを識別するユーザ識別情報とを記憶するユーザ情報記憶手段を有するＵＲＬ情報配信装置とが、ネットワークを介して通信可能に構成されたシステムを、当該ユーザからの要求に応じて、上記第一の端末から受け付けたＵＲＬ情報を上記第二の端末に配信するシステムとして機能させるためのコンピュータプログラムであって、
上記第一の端末に対して、
上記ＵＲＬ情報を第一の引数として含み、上記ＵＲＬ情報配信装置をアクセス先とするネットワーク上のアドレスに基づいて、上記ＵＲＬ情報配信装置にアクセスする処理と、
上記ＵＲＬ情報配信装置に対し、上記第一の端末を識別する端末識別情報を送信する処理と、を実行させ、
上記ＵＲＬ情報配信装置は、
上記第一の端末から、上記端末識別情報を受信する処理と、
上記第一の端末がアクセス先として指定した上記アドレスから、上記第一の引数として含まれているＵＲＬ情報を特定する処理と、
上記特定されたＵＲＬ情報を抽出する処理と、
上記ユーザ情報記憶手段を参照して、上記端末識別情報と関連付けて記憶されているユーザ識別情報を特定する処理と、
上記特定されたユーザ識別情報と、上記ＵＲＬ情報とを関連付けてＵＲＬ情報記憶手段に記憶する処理と、
上記第二の端末から、上記ユーザ識別情報と共に、ＵＲＬ情報の配信要求を受信する処理と、
上記ＵＲＬ情報記憶手段を参照して、上記ユーザ識別情報と関連付けて記憶されているＵＲＬ情報を抽出する処理と、
上記抽出されたＵＲＬ情報にハイパーリンクを生成する処理と、
上記第二の端末に対して、上記ハイパーリンクの生成されたＵＲＬ情報を一覧化したＷｅｂページを配信する処理と、を実行させ、
上記第二の端末は、
上記ＵＲＬ情報配信装置に対し、上記ユーザ識別情報と共に、当該ユーザ識別情報と関連付けて記憶されているＵＲＬ情報の配信要求を送信する処理と、
上記ＵＲＬ情報配信装置から、上記ハイパーリンクの生成されたＵＲＬ情報を一覧化したＷｅｂページを受信する処理と、
上記Ｗｅｂページを表示する処理と、を実行させる、コンピュータプログラム。
【発明の詳細な説明】
【技術分野】
【０００１】
本発明は、一の端末からＵＲＬ情報を受け付けて蓄積し、改めて他の端末から当該蓄積されたＵＲＬ情報の配信要求を受けた際に、これを提供する技術に関する。
【背景技術】
【０００２】
近年、街中や電車内、あるいは雑誌等において、会社や商品等を紹介するＷｅｂページのＵＲＬ情報が入手可能に表示されている。
ところが、このＵＲＬ情報は英文字や特殊記号の組み合わせからなるため、手入力した場合には間違って入力することが少なくなく、しばしばニ次元コードにコード化されて表示されている。この場合、多くの利用者は、ニ次元コードの読取機能を実装した携帯端末を用いてＵＲＬ情報を取得している。
【０００３】
しかしながら、ＵＲＬ情報のリンク先Ｗｅｂページは、必ずしも携帯端末に即した仕様になっておらず、せっかく携帯端末からアクセスしても、うまく表示できないことがある。
また、広告等でＵＲＬ情報を表示する会社等の側からしても、伝えたい情報が多くあるにも関わらず、携帯端末で表示可能とすることを意識して、わざわざ携帯端末用のＷｅｂページを作成したり、Ｗｅｂページ内のコンテンツの質や量を落としたりすることは、コストや宣伝効果の点から好ましいことではなかった。
【０００４】
この点、特許文献１では、ポスター等の表示物又は展示商品等の物品に情報配信用のメールアドレスを含む情報をニ次元コードにして付与しておき、情報配信装置には、情報提供者から提供された提供情報を登録しておき、撮像手段とニ次元コード解読手段とを備えた顧客の携帯端末によって撮像され且つ解読された前記ニ次元コードから取得された前記情報配信用のメールアドレスに、前記顧客の携帯端末からメールが送信されると、前記情報配信装置内に登録されている前記情報提供者の登録情報を前記顧客の携帯端末又は該顧客が指定した所定の端末にメールとして返信する方法が提案されている。
また、特許文献２には、コンテンツサーバに蓄積されたコンテンツデータを他の機器へ送信することの依頼を送信依頼端末から受け付け、これに応じてコンテンツデータの送信を行うコンテンツ送信システムであって、上記送信依頼端末から送信先の他の機器を示す宛先情報を含むデータを受け付ける手段と、上記送信依頼端末からコンテンツ識別情報を受け付ける手段と、上記宛先情報の示す宛先へ上記コンテンツ識別情報の示すコンテンツデータを送信する手段とを備えたシステムが提案されている。
また、特許文献３から特許文献５には、商品ＷｅｂページのＵＲＬ情報を送信するサーバを設置し、ニ次元コードに商品コードを含むサーバのＵＲＬを記憶させておき、携帯電話でニ次元コードを読み取り、読み取ったＵＲＬを用いてサーバにアクセスすると、サーバのＵＲＬに含まれる商品コードから対応する商品のＷｅｂページのＵＲＬ情報が検索され、携帯電話の機体番号と関連付けられて予め登録されているＰＣメールアドレス若しくは携帯電話のアドレスに商品のＷｅｂページのＵＲＬ情報若しくは送信者自身のアカウントページＵＲＬ情報がメール送信されるシステムが提案されている。
【先行技術文献】
【特許文献】
【０００５】
【特許文献１】特開２００４−７８３６８号公報
【特許文献２】特開２００７−２６１０８号公報
【特許文献３】特開２００７−３０５０６３号公報
【特許文献４】特開２００７−３２８５５２号公報
【特許文献５】特開２００８−１４０２５３号公報
【発明の概要】
【発明が解決しようとする課題】
【０００６】
上記特許文献１から特許文献５には、一の端末から他の端末へ、商品や会社等に関する情報を送信することを要求する技術が開示されている。
しかしながら、特許文献１及び特許文献２記載の技術では、予め、提供の情報ないしはコンテンツを、情報配信用の装置に登録しておかなければならない。
また、特許文献３から特許文献５記載の技術では、予め提供したい全ての商品情報毎にＵＲＬ情報を関連付けて登録しておかなければならない。また、ＵＲＬ情報の提供がメールを介して行われるため、メールアドレスを有していないユーザは、サービスを享受することができない。
【０００７】
そこで、本発明は、一の端末で取得したＵＲＬ情報を、他の端末から参照可能とするための技術であって、ＵＲＬ情報を予め、ＵＲＬ情報を配信する装置に登録しておかなくてもよい技術を提供することを目的とする。
【課題を解決するための手段】
【０００８】
上記目的を達成するため、本発明の一の観点に係るＵＲＬ情報配信システムは、ユーザが利用する第一及び第二の端末と、当該ユーザからの要求に応じて、上記第一の端末から受け付けたＵＲＬ情報を上記第二の端末に配信するＵＲＬ情報配信装置と、がネットワークを介して通信可能に構成されたシステムであって、上記第一の端末は、上記ＵＲＬ情報配信装置に対し、上記第一の端末を識別する端末識別情報、及び上記ＵＲＬ情報を送信するＵＲＬ情報送信手段、を有し、上記ＵＲＬ情報配信装置は、上記端末識別情報と、上記ユーザを識別するユーザ識別情報とを記憶するユーザ情報記憶手段と、上記第一の端末から、上記端末識別情報、及び上記ＵＲＬ情報を受信する第一のＵＲＬ情報受信手段と、上記ユーザ情報記憶手段を参照して、上記端末識別情報と関連付けて記憶されているユーザ識別情報を特定するユーザ特定手段と、上記第一の端末から受信した情報からＵＲＬ情報を特定するＵＲＬ情報特定手段と、上記特定されたＵＲＬ情報を抽出する第一のＵＲＬ情報抽出手段と、上記特定されたユーザ識別情報と、上記抽出されたＵＲＬ情報とを関連付けて記憶するＵＲＬ情報記憶手段と、上記第二の端末から、上記ユーザ識別情報と共に、ＵＲＬ情報の配信要求を受信する配信要求受信手段と、上記ＵＲＬ情報記憶手段を参照して、上記ユーザ識別情報と関連付けて記憶されているＵＲＬ情報を抽出する第二のＵＲＬ情報抽出手段と、上記抽出されたＵＲＬ情報にハイパーリンクを生成するリンク生成手段と、上記第二の端末に対して、上記ハイパーリンクの生成されたＵＲＬ情報を一覧化したＷｅｂページを配信するＵＲＬ情報配信手段と、を有し、上記第二の端末は、上記ＵＲＬ情報配信装置に対し、上記ユーザ識別情報と共に、当該ユーザ識別情報と関連付けて記憶されているＵＲＬ情報の配信要求を送信する配信要求送信手段と、上記ＵＲＬ情報配信装置から、上記ハイパーリンクの生成されたＵＲＬ情報を一覧化したＷｅｂページを受信する第二のＵＲＬ情報受信手段と、上記Ｗｅｂページを表示するＵＲＬ情報表示手段と、を有することを特徴とする。
ここで、ＵＲＬ情報とは、インターネット等のネットワーク上において、リソースの所在を特定するアドレスであるＵＲＬ（Uniform Resource Locator）そのもののことを意味する。
また、端末識別情報とは、端末を識別可能な情報であって、例えば、端末ごとに割り振られた個体識別番号や、端末に設定されたメールアドレスを意味する。
また、ＵＲＬ情報特定手段によるＵＲＬ情報の特定処理は例えば、「http://」（Hypertext Transfer Protocol）、「https://」（Hypertext Transfer Protocol over Secure Socket Layer）、「rtsp://」（Real Time Streaming Protocol）等の通信プロトコルの表記に基づいて行ったり、予め登録しておいたドメインを参照することにより実行することができる。
【０００９】
また、上記第一の端末は、上記ＵＲＬ情報送信手段が、上記ＵＲＬ情報配信装置に対し、上記第一の端末を識別する端末識別情報、上記ＵＲＬ情報、及び当該ＵＲＬ情報が指し示すＷｅｂページに関するタイトル情報を送信し、上記ＵＲＬ情報配信装置は、上記第一の端末から受信した情報について、上記タイトル情報の有無を判別し、上記タイトル情報があった場合に、上記タイトル情報を抽出する第一のタイトル情報抽出手段と、上記第二の端末からのＵＲＬ情報の配信要求に応じて、上記ＵＲＬ情報記憶手段を参照して、上記第二のＵＲＬ情報抽出手段によって抽出されたＵＲＬ情報と関連付けて記憶されているタイトル情報を抽出する第二のタイトル情報抽出手段と、を有し、上記第一のＵＲＬ情報受信手段が、上記第一の端末から、上記端末識別情報、上記ＵＲＬ情報、及び上記タイトル情報を受信し、上記ＵＲＬ情報記憶手段が、上記ユーザ特定手段により特定されたユーザ識別情報と、上記抽出されたＵＲＬ情報及びタイトル情報とを関連付けて記憶し、上記ＵＲＬ情報配信手段は、上記第二の端末に対して、上記ハイパーリンクの生成されたＵＲＬ情報と上記タイトル情報とを一覧化したＷｅｂページを配信し、上記第二の端末は、上記第二のＵＲＬ情報受信手段が、上記ＵＲＬ情報配信装置から、上記ハイパーリンクの生成されたＵＲＬ情報と上記タイトル情報とを一覧化したＷｅｂページを受信するものとしてもよい。
【００１０】
また、上記第一の端末は、上記ＵＲＬ情報と上記タイトル情報とをメール内容とし、上記ＵＲＬ情報配信装置を宛先とするメールを生成するメール生成手段、を有し、上記ＵＲＬ情報送信手段が、上記生成されたメールにより、上記ＵＲＬ情報配信装置に対し、上記第一の端末を識別する端末識別情報、上記ＵＲＬ情報、及び上記タイトル情報を送信するものとしてもよい。
ここで、ＵＲＬ情報とタイトル情報とをメール内容とするとは、メールの件名ないしは本文中に、ＵＲＬ情報ないしタイトル情報が挿入されていることをいう。
【００１１】
また、本発明の別の観点に係るＵＲＬ情報配信システムは、ユーザが利用する第一及び第二の端末と、当該ユーザからの要求に応じて、上記第一の端末から受け付けたＵＲＬ情報を上記第二の端末に配信するＵＲＬ情報配信装置と、がネットワークを介して通信可能に構成されたシステムであって、上記第一の端末は、上記ＵＲＬ情報を第一の引数として含み、上記ＵＲＬ情報配信装置をアクセス先とするネットワーク上のアドレスに基づいて、上記ＵＲＬ情報配信装置にアクセスするアクセス手段と、上記ＵＲＬ情報配信装置に対し、上記第一の端末を識別する端末識別情報を送信する端末識別情報送信手段と、を有し、上記ＵＲＬ情報配信装置は、上記端末識別情報と、上記ユーザを識別するユーザ識別情報とを記憶するユーザ情報記憶手段と、上記第一の端末から、上記端末識別情報を受信する端末識別情報受信手段と、上記第一の端末がアクセス先として指定した上記アドレスから、上記第一の引数として含まれているＵＲＬ情報を特定するＵＲＬ情報特定手段と、上記特定されたＵＲＬ情報を抽出する第一のＵＲＬ情報抽出手段と、上記ユーザ情報記憶手段を参照して、上記端末識別情報と関連付けて記憶されているユーザ識別情報を特定するユーザ特定手段と、上記特定されたユーザ識別情報と、上記ＵＲＬ情報とを関連付けて記憶するＵＲＬ情報記憶手段と、上記第二の端末から、上記ユーザ識別情報と共に、ＵＲＬ情報の配信要求を受信する配信要求受信手段と、上記ＵＲＬ情報記憶手段を参照して、上記ユーザ識別情報と関連付けて記憶されているＵＲＬ情報を抽出する第二のＵＲＬ情報抽出手段と、上記抽出されたＵＲＬ情報にハイパーリンクを生成するリンク生成手段と、上記第二の端末に対して、上記ハイパーリンクの生成されたＵＲＬ情報を一覧化したＷｅｂページを配信するＵＲＬ情報配信手段と、を有し、上記第二の端末は、上記ＵＲＬ情報配信装置に対し、上記ユーザ識別情報と共に、当該ユーザ識別情報と関連付けて記憶されているＵＲＬ情報の配信要求を送信する配信要求送信手段と、上記ＵＲＬ情報配信装置から、上記ハイパーリンクの生成されたＵＲＬ情報を一覧化したＷｅｂページを受信する第二のＵＲＬ情報受信手段と、上記Ｗｅｂページを表示するＵＲＬ情報表示手段と、を有することを特徴とする。
【００１２】
また、上記第一の端末は、上記アクセス手段が、上記ＵＲＬ情報を第一の引数として含むと共に、当該ＵＲＬ情報が指し示すＷｅｂページに関するタイトル情報を第二の引数として含み、上記ＵＲＬ情報配信装置をアクセス先とするネットワーク上のアドレスに基づいて、上記ＵＲＬ情報配信装置にアクセスし、上記ＵＲＬ情報配信装置は、上記第一の端末がアクセス先として指定した上記アドレスについて、上記第二の引数として含まれているタイトル情報の有無を判別し、上記タイトル情報があった場合に、上記タイトル情報を抽出する第一のタイトル情報抽出手段と、上記第二の端末からのＵＲＬ情報の配信要求に応じて、上記ＵＲＬ情報記憶手段を参照して、上記第一のＵＲＬ情報抽出手段によって抽出されたＵＲＬ情報と関連付けて記憶されているタイトル情報を抽出する第二のタイトル情報抽出手段と、を有し、上記ＵＲＬ情報記憶手段が、上記ユーザ特定手段により特定されたユーザ識別情報と、上記抽出されたＵＲＬ情報及びタイトル情報とを関連付けて記憶し、上記ＵＲＬ情報配信手段が、上記第二の端末に対して、上記ハイパーリンクの生成されたＵＲＬ情報と上記タイトル情報とを一覧化したＷｅｂページを配信し、上記第二の端末は、上記第二のＵＲＬ情報受信手段が、上記ＵＲＬ情報配信装置から、上記ハイパーリンクの生成されたＵＲＬ情報と上記タイトル情報とを一覧化したＷｅｂページを受信するものとしてもよい。
【００１３】
また、上記リンク生成手段が、上記抽出されたタイトル情報に、上記抽出されたＵＲＬ情報を参照先とするハイパーリンクを生成し、上記ＵＲＬ情報配信手段が、上記第二の端末に対して、上記ＵＲＬ情報を参照先としたハイパーリンクの生成されたタイトル情報を一覧化したＷｅｂページを配信し、上記第二の端末は、上記第二のＵＲＬ情報受信手段が、上記ＵＲＬ情報配信装置から、上記ＵＲＬ情報を参照先としたハイパーリンクの生成されたタイトル情報を一覧化したＷｅｂページを受信するものとしてもよい。
【００１４】
また、上記ＵＲＬ情報特定手段は、所定の通信プロトコルを識別子として上記ＵＲＬ情報を特定するものとしてもよい。
【００１５】
また、上記ＵＲＬ情報配信装置は、上記ＵＲＬ情報と、当該ＵＲＬ情報に含まれるドメインとを関連付けて記憶するドメイン情報記憶手段、を有し、上記ＵＲＬ情報特定手段は、上記ドメイン情報記憶手段に記憶されているドメインに基づき、上記メール内容からＵＲＬ情報を特定するものとしてもよい。
【００１６】
また、上記第一の端末は携帯端末であり、上記第二の端末はＰＣ端末であるものとしてもよい。
ここで、携帯端末とは、携帯電話機、ＰＤＡ（Personal Digital Assistant）、通信機能を有したゲーム機等、所有者が携帯して利用することを前提とした端末をいう。
また、ＰＣ端末とは、いわゆるパーソナルコンピュータ等、屋内に設置して利用することを前提とした端末をいう。
【００１７】
また、本発明の別の観点に係るＵＲＬ情報配信方法は、ユーザが利用する第一及び第二の端末と、上記端末識別情報と、上記ユーザを識別するユーザ識別情報とを記憶するユーザ情報記憶手段を有するＵＲＬ情報配信装置とが、ネットワークを介して通信可能に構成されたシステムにより、当該ユーザからの要求に応じて、上記第一の端末から受け付けたＵＲＬ情報を上記第二の端末に配信する方法であって、上記第一の端末は、上記ＵＲＬ情報配信装置に対し、上記第一の端末を識別する端末識別情報、及び上記ＵＲＬ情報を送信する処理、を実行し、上記ＵＲＬ情報配信装置は、上記第一の端末から、上記端末識別情報、及び上記ＵＲＬ情報を受信する処理と、上記ユーザ情報記憶手段を参照して、上記端末識別情報と関連付けて記憶されているユーザ識別情報を特定する処理と、上記第一の端末から受信した情報からＵＲＬ情報を特定する処理と、上記特定されたＵＲＬ情報を抽出する処理と、上記特定されたユーザ識別情報と、上記抽出されたＵＲＬ情報とを関連付けてＵＲＬ情報記憶手段に記憶する処理と、上記第二の端末から、上記ユーザ識別情報と共に、ＵＲＬ情報の配信要求を受信する処理と、上記ＵＲＬ情報記憶手段を参照して、上記ユーザ識別情報と関連付けて記憶されているＵＲＬ情報を抽出する処理と、上記抽出されたＵＲＬ情報にハイパーリンクを生成する処理と、上記第二の端末に対して、上記ハイパーリンクの生成されたＵＲＬ情報を一覧化したＷｅｂページを配信する処理と、を実行し、上記第二の端末は、上記ＵＲＬ情報配信装置に対し、上記ユーザ識別情報と共に、当該ユーザ識別情報と関連付けて記憶されているＵＲＬ情報の配信要求を送信する処理と、上記ＵＲＬ情報配信装置から、上記ハイパーリンクの生成されたＵＲＬ情報を一覧化したＷｅｂページを受信する処理と、上記Ｗｅｂページを表示する処理と、を実行することを特徴とする。
【００１８】
また、本発明の別の観点に係るコンピュータプログラムは、ユーザが利用する第一及び第二の端末と、上記端末識別情報と、上記ユーザを識別するユーザ識別情報とを記憶するユーザ情報記憶手段を有するＵＲＬ情報配信装置とがネットワークを介して通信可能に構成されたシステムを、当該ユーザからの要求に応じて、上記第一の端末から受け付けたＵＲＬ情報を上記第二の端末に配信するシステムとして機能させるためのコンピュータプログラムであって、上記第一の端末に対して、上記ＵＲＬ情報配信装置に対し、上記第一の端末を識別する端末識別情報、及び上記ＵＲＬ情報を送信する処理、を実行させ、上記ＵＲＬ情報配信装置に対して、上記第一の端末から、上記端末識別情報、及び上記ＵＲＬ情報を受信する処理と、上記ユーザ情報記憶手段を参照して、上記端末識別情報と関連付けて記憶されているユーザ識別情報を特定する処理と、上記第一の端末から受信した情報からＵＲＬ情報を特定する処理と、上記特定されたＵＲＬ情報を抽出する処理と、上記特定されたユーザ識別情報と、上記ＵＲＬ情報とを関連付けてＵＲＬ情報記憶手段に記憶する処理と、上記第二の端末から、上記ユーザ識別情報と共に、ＵＲＬ情報の配信要求を受信する処理と、上記ＵＲＬ情報記憶手段を参照して、上記ユーザ識別情報と関連付けて記憶されているＵＲＬ情報を抽出する処理と、上記抽出されたＵＲＬ情報にハイパーリンクを生成する処理と、上記第二の端末に対して、上記ハイパーリンクの生成されたＵＲＬ情報を一覧化したＷｅｂページを配信する処理と、を実行させ、上記第二の端末に対して、上記ＵＲＬ情報配信装置に対し、上記ユーザ識別情報と共に、当該ユーザ識別情報と関連付けて記憶されているＵＲＬ情報の配信要求を送信する処理と、上記ＵＲＬ情報配信装置から、上記ハイパーリンクの生成されたＵＲＬ情報を一覧化したＷｅｂページを受信する処理と、上記Ｗｅｂページを表示する処理と、を実行させる。
【００１９】
また、本発明の別の観点に係るＵＲＬ情報配信方法は、ユーザが利用する第一及び第二の端末と、上記端末識別情報と、上記ユーザを識別するユーザ識別情報とを記憶するユーザ情報記憶手段を有するＵＲＬ情報配信装置とが、ネットワークを介して通信可能に構成されたシステムにより、当該ユーザからの要求に応じて、上記第一の端末から受け付けたＵＲＬ情報を上記第二の端末に配信する方法であって、上記第一の端末は、上記ＵＲＬ情報を第一の引数として含み、上記ＵＲＬ情報配信装置をアクセス先とするネットワーク上のアドレスに基づいて、上記ＵＲＬ情報配信装置にアクセスする処理と、上記ＵＲＬ情報配信装置に対し、上記第一の端末を識別する端末識別情報を送信する処理と、を実行し、上記ＵＲＬ情報配信装置は、上記第一の端末から、上記端末識別情報を受信する処理と、上記第一の端末がアクセス先として指定した上記アドレスから、上記第一の引数として含まれているＵＲＬ情報を特定する処理と、上記特定されたＵＲＬ情報を抽出する処理と、上記ユーザ情報記憶手段を参照して、上記端末識別情報と関連付けて記憶されているユーザ識別情報を特定する処理と、上記特定されたユーザ識別情報と、上記ＵＲＬ情報とを関連付けてＵＲＬ情報記憶手段に記憶する処理と、上記第二の端末から、上記ユーザ識別情報と共に、ＵＲＬ情報の配信要求を受信する処理と、上記ＵＲＬ情報記憶手段を参照して、上記ユーザ識別情報と関連付けて記憶されているＵＲＬ情報を抽出する処理と、上記抽出されたＵＲＬ情報にハイパーリンクを生成する処理と、上記第二の端末に対して、上記ハイパーリンクの生成されたＵＲＬ情報を一覧化したＷｅｂページを配信する処理と、を実行し、上記第二の端末は、上記ＵＲＬ情報配信装置に対し、上記ユーザ識別情報と共に、当該ユーザ識別情報と関連付けて記憶されているＵＲＬ情報の配信要求を送信する処理と、上記ＵＲＬ情報配信装置から、上記ハイパーリンクの生成されたＵＲＬ情報を一覧化したＷｅｂページを受信する処理と、上記Ｗｅｂページを表示する処理と、を実行することを特徴とする。
【００２０】
また、本発明の別の観点に係るコンピュータプログラムは、ユーザが利用する第一及び第二の端末と、上記端末識別情報と、上記ユーザを識別するユーザ識別情報とを記憶するユーザ情報記憶手段を有するＵＲＬ情報配信装置とが、ネットワークを介して通信可能に構成されたシステムを、当該ユーザからの要求に応じて、上記第一の端末から受け付けたＵＲＬ情報を上記第二の端末に配信するシステムとして機能させるためのコンピュータプログラムであって、上記第一の端末に対して、上記ＵＲＬ情報を第一の引数として含み、上記ＵＲＬ情報配信装置をアクセス先とするネットワーク上のアドレスに基づいて、上記ＵＲＬ情報配信装置にアクセスする処理と、上記ＵＲＬ情報配信装置に対し、上記第一の端末を識別する端末識別情報を送信する処理と、を実行させ、上記ＵＲＬ情報配信装置は、上記第一の端末から、上記端末識別情報を受信する処理と、上記第一の端末がアクセス先として指定した上記アドレスから、上記第一の引数として含まれているＵＲＬ情報を特定する処理と、上記特定されたＵＲＬ情報を抽出する処理と、上記ユーザ情報記憶手段を参照して、上記端末識別情報と関連付けて記憶されているユーザ識別情報を特定する処理と、上記特定されたユーザ識別情報と、上記ＵＲＬ情報とを関連付けてＵＲＬ情報記憶手段に記憶する処理と、上記第二の端末から、上記ユーザ識別情報と共に、ＵＲＬ情報の配信要求を受信する処理と、上記ＵＲＬ情報記憶手段を参照して、上記ユーザ識別情報と関連付けて記憶されているＵＲＬ情報を抽出する処理と、上記抽出されたＵＲＬ情報にハイパーリンクを生成する処理と、上記第二の端末に対して、上記ハイパーリンクの生成されたＵＲＬ情報を一覧化したＷｅｂページを配信する処理と、を実行させ、上記第二の端末は、上記ＵＲＬ情報配信装置に対し、上記ユーザ識別情報と共に、当該ユーザ識別情報と関連付けて記憶されているＵＲＬ情報の配信要求を送信する処理と、上記ＵＲＬ情報配信装置から、上記ハイパーリンクの生成されたＵＲＬ情報を一覧化したＷｅｂページを受信する処理と、上記Ｗｅｂページを表示する処理と、を実行させる、コンピュータプログラム。
【発明の効果】
【００２１】
本発明によれば、ＵＲＬ情報を予め、ＵＲＬ情報を配信する装置に登録しておかなくても、一の端末で取得したＵＲＬ情報を、他の端末から参照可能とすることができる。
【図面の簡単な説明】
【００２２】
【図１】本発明の実施形態に係るＵＲＬ情報配信システムの概略を説明する模式図である。
【図２】本発明の第一の実施形態に係るＵＲＬ情報配信システムが備える機能を示した機能ブロック図である。
【図３】本実施形態に係るＵＲＬ情報配信システムにおいて、ユーザ情報ＤＢに記憶されるデータの一例を示した図である。
【図４】本実施形態に係るＵＲＬ情報配信システムにおいて、ＵＲＬ情報ＤＢに記憶されるデータの一例を示した図である。
【図５】本実施形態に係るＵＲＬ情報配信システムにおいて、ユーザが携帯端末によりニ次元コードを読み取ってから、ＵＲＬ情報配信装置にＵＲＬ情報が記憶されるまでの処理を示したシーケンス図である。
【図６】本実施形態に係るＵＲＬ情報配信システムにおける携帯端末の表示画面において、ユーザが携帯端末によりニ次元コードをデコードした際の表示画面の一例を示した図である。
【図７】本実施形態に係るＵＲＬ情報配信システムにおける携帯端末の表示画面において、作成されたメールの一例を示した図である。
【図８】本実施形態に係るＵＲＬ情報配信システムにおいて、ＰＣ端末からＵＲＬ情報の配信要求がＵＲＬ情報配信装置に送信されてから、ＵＲＬ情報配信装置がＰＣ端末に対してＵＲＬ情報が一覧化されたＷｅｂページを配信するまでの処理を示した処理フロー図である。
【図９】本実施形態に係るＵＲＬ情報配信システムにおけるＰＣ端末の表示画面において、ＵＲＬ情報が一覧化されたＷｅｂページの一例を示した図である。
【図１０】本実施形態に係るＵＲＬ情報配信システムにおけるＰＣ端末の表示画面において、（ａ）はＵＲＬ情報が一覧化されたＷｅｂページの一例を示し、（ｂ）はＵＲＬ情報にテキスト形式のタイトル情報を関連付けて表示したＷｅｂページの一例を示す。
【図１１】本発明の第二の実施形態に係るＵＲＬ情報配信システムが備える機能を示した機能ブロック図である。
【図１２】本実施形態に係るＵＲＬ情報配信システムにおける処理の流れを示したシーケンス図である。
【図１３】本実施形態に係るＵＲＬ情報配信システムにおける携帯端末の表示画面において、ユーザが携帯端末によりニ次元コードをデコードした際の表示画面の一例を示した図である。
【図１４】本実施形態に係るＵＲＬ情報配信システムにおける携帯端末の表示画面において、作成されたメールの一例を示した図である。
【図１５】本発明の第三の実施形態に係るＵＲＬ情報配信システムが備える機能を示した機能ブロック図である。
【図１６】本実施形態に係るＵＲＬ情報配信システムにおいて、ドメイン情報ＤＢに記憶されるデータの一例を示した図である。
【図１７】本実施形態に係るＵＲＬ情報配信システムにおいて、ドメインを登録する際の申込画面の一例を示した図である。
【図１８】本実施形態に係るＵＲＬ情報配信システムにおける処理の流れを示したシーケンス図である。
【図１９】第一から第三の実施形態に係るＵＲＬ情報配信システムにおける携帯端末の表示画面において、ユーザが携帯端末によりニ次元コードをデコードした際の表示画面の他の例であって、（ａ）はＵＲＬ情報が「件名」を示す識別子（SUBJECT）内に埋め込まれたもの、（ｂ）はＵＲＬ情報が件名を示す識別子（SUBJECT）内に埋め込まれると共にタイトル情報が「メール本文」を示す識別子（BODY）内に埋め込まれたものを示す。
【図２０】第一から第三の実施形態に係るＵＲＬ情報配信システムにおける携帯端末の表示画面において、作成されたメールの他の例であって、（ａ）はＵＲＬ情報が件名入力欄に挿入されたもの、（ｂ）はＵＲＬ情報が件名入力欄に挿入されると共にタイトル情報がメール本文入力欄に挿入されたものを示す。
【図２１】第一から第三の実施形態に係るＵＲＬ情報配信システムにおける携帯端末の表示画面において、ユーザが携帯端末によりニ次元コードをデコードした際の表示画面の他の例であって、（ａ）はＵＲＬ情報とタイトル情報とが「件名」を示す識別子（SUBJECT）内にまとめて埋め込まれたもの、（ｂ）はＵＲＬ情報とタイトル情報とが「メール本文」を示す識別子（BODY）内にまとめて埋め込まれたものを示す。
【図２２】第一から第三の実施形態に係るＵＲＬ情報配信システムにおける携帯端末の表示画面において、作成されたメールの他の例であって、（ａ）はＵＲＬ情報とタイトル情報が件名入力欄にまとめて挿入されたもの、（ｂ）はＵＲＬ情報とタイトル情報がメール本文入力欄にまとめて挿入されたものを示す。
【図２３】本発明の第四の実施形態に係るＵＲＬ情報配信システムが備える機能を示した機能ブロック図である。
【図２４】本実施形態に係るＵＲＬ情報配信システムにおいて、ユーザ情報ＤＢに記憶されるデータの一例を示した図である。
【図２５】本実施形態に係るＵＲＬ情報配信システムにおける処理の流れを示したシーケンス図である。
【図２６】本実施形態に係るＵＲＬ情報配信システムにおいて、ユーザが携帯端末によりニ次元コードをデコードした際の表示画面の一例を示した図である。
【発明を実施するための形態】
【００２３】
以下、本発明の実施形態について図を参照して説明する。
図１は、本実施形態に係るＵＲＬ情報配信システムの概略を示している。
図１に示されるように、本実施形態に係るＵＲＬ情報配信システムは、まず、ユーザが、街中等において、商品や会社等を宣伝広告するためのＵＲＬ情報が埋め込まれたニ次元コードを見つけた際、読取可能な携帯端末２により、当該ニ次元コードを読み取る（Ｓ１）。
【００２４】
読み取られた情報は、携帯端末２が備えるデコード機能によってデコードされる（Ｓ２）。なお、このニ次元コードには少なくとも、商品や会社等を宣伝広告するＵＲＬ情報、ＵＲＬ情報配信装置１のアドレス、携帯端末２のメーラーを起動させる識別子等が埋め込まれているほか、ＵＲＬ情報によって示されるＷｅｂページのタイトル情報が含まれていてもよい。
ユーザは、デコードされたＵＲＬ情報を、メールによってＵＲＬ情報配信装置１に対して送信する（Ｓ３）。
【００２５】
ユーザからメールを受信したＵＲＬ情報配信装置１は、予め登録されていたユーザのメールアドレスに基づいてユーザを識別し、当該ユーザに、上記受信したＵＲＬ情報を関連付けて記憶する（Ｓ４）。
なお、ユーザのメールアドレスの登録は、携帯端末２やＰＣ端末３による送信、又は所定の申込用紙等の送付等、各種の方法により登録することができる。
【００２６】
他方、ＵＲＬ情報配信装置１は、ユーザが利用するＰＣ端末３から、ユーザＩＤと共に、携帯端末２を用いて登録しておいたＵＲＬ情報の配信要求を受信すると（Ｓ５）、当該ユーザと関連付けて記憶されているＵＲＬ情報を抽出して、これをＰＣ端末３に配信する（Ｓ６）。
【実施例１】
【００２７】
続いて、本発明の第一の実施形態について説明する。
図２に示されるように、本実施形態に係るＵＲＬ情報配信システムは、ＵＲＬ情報を配信するＵＲＬ情報配信装置１と、ユーザが利用する携帯端末２、同じくユーザが利用するＰＣ端末３とがインターネット等のネットワークＮＷを介して通信可能に構成されている。
【００２８】
ＵＲＬ情報配信装置１は、ユーザからＵＲＬ情報の登録を受け付けると共に、別途ＵＲＬ情報の配信要求を受け付けた際に、当該登録されているＵＲＬ情報を配信する装置である。
このＵＲＬ情報配信装置１は、ＣＰＵ（Central Processing Unit）、ＣＰＵが実行するコンピュータプログラム、コンピュータプログラムや所定のデータを記憶するＲＡＭ（Random Access Memory）やＲＯＭ（Reed Only Memory）、及びハードディスクドライブなどの外部記憶装置により、ユーザ情報ＤＢ１Ａ、ＵＲＬ情報ＤＢ１Ｂ、ユーザ特定部１１、ＵＲＬ情報特定部１２、第一ＵＲＬ情報抽出部１３、第一タイトル情報抽出部１４、第二ＵＲＬ情報抽出部１５、第二タイトル情報抽出部１６、リンク生成部１７、認証処理部１８、及び通信処理部１９からなる各機能ブロックを構成する。
【００２９】
ユーザ情報ＤＢ１Ａは、ユーザに関する情報を記憶した記憶部である。
このユーザ情報ＤＢ１Ａには、図３に示されるように、ユーザを識別するユーザＩＤと、パスワードと、ユーザが利用する携帯端末２のメールアドレスとが相互に関連付けて記憶されている。
ユーザＩＤとパスワードは、ユーザがＰＣ端末３からＵＲＬ情報配信装置１にアクセスして、ＵＲＬ情報の配信を受ける際に、ユーザを識別ないし認証する情報となる。
また、メールアドレスは、携帯端末２からＵＲＬ情報配信装置１に対して、メールによってＵＲＬ情報を送る際、送信元情報として併せて送信される。そして、これを受信したＵＲＬ情報配信装置１は、メールアドレスによって携帯端末２を識別することができる。
【００３０】
ＵＲＬ情報ＤＢ１Ｂは、携帯端末２から受信したＵＲＬ情報を記憶することができる記憶部である。
このＵＲＬ情報ＤＢ１Ｂには、図４に示されるように、ユーザＩＤと、ＵＲＬ情報と、タイトル情報とが相互に関連付けて記憶されている。
ＵＲＬ情報は、ユーザが携帯端末２により、ニ次元コードから取得し、ＵＲＬ情報配信装置１に対して送信したものであり、所定の通信プロトコルに基づいたＵＲＬ（Uniform Resource Locator）である。このＵＲＬ情報は、携帯端末２から送信されるメールの本文中に挿入されており、第一ＵＲＬ情報抽出部１３によって抽出されたものである。
タイトル情報は、ユーザがＵＲＬ情報配信装置１にＵＲＬ情報を送信する際、ＵＲＬ情報と関連付けて送信するテキスト情報である。このタイトル情報は、携帯端末２から送信されるメールの件名に挿入されており、第一タイトル情報抽出部１４によって抽出されたものである。
【００３１】
ユーザ特定部１１は、携帯端末２からＵＲＬ情報を含んだメールを受信した際、ユーザ情報ＤＢ１Ａを参照して、携帯端末２のメールアドレスと関連付けて記憶されているユーザＩＤを特定する処理を実行する。
【００３２】
ＵＲＬ情報特定部１２は、携帯端末２からＵＲＬ情報として受信したメールから、ＵＲＬ情報を特定する処理を実行する。携帯端末２から送信されるメールには、本文中にＵＲＬ情報が挿入されているが、これをテキスト情報等と区別して特定するために、ＵＲＬ情報中に含まれるプロトコルの表記を識別子として用いる。
具体的には、「http://」（Hypertext Transfer Protocol）、「https://」（Hypertext Transfer Protocol over Secure Socket Layer）、「rtsp://」（Real Time Streaming
Protocol）等のプロトコルの表記を予め所定のテーブルに記憶しておく。そして、このテーブルを参照して、本文中にこれらのプロトコルの表記で始まる情報をＵＲＬ情報として特定する。
【００３３】
第一ＵＲＬ情報抽出部１３は、携帯端末２からＵＲＬ情報として受信したメールにおいて、ＵＲＬ情報特定部１２によって特定されたＵＲＬ情報を抽出する処理を実行する。
【００３４】
第一タイトル情報抽出部１４は、携帯端末２からＵＲＬ情報として受信したメールに、タイトル情報が含まれているか否かを判別し、含まれている場合には、当該タイトル情報を抽出する処理を実行する。
タイトル情報とは、ユーザによって、メールの件名中に任意に挿入されたテキスト情報である。このテキスト情報として、例えばＵＲＬ情報が指し示すＷｅｂページのタイトルを挿入しておけば、後日、ＰＣ端末３によりＵＲＬ情報を参照した際、ＵＲＬ情報と共に表示されたタイトル情報により、当該ＵＲＬ情報が指し示すＷｅｂがどのようなものであるか一見して判別することができる。
【００３５】
第二ＵＲＬ情報抽出部１５は、ＰＣ端末３から、ユーザＩＤと共に、ＵＲＬ情報の配信要求を受信した際、ＵＲＬ情報ＤＢ１Ｂを参照して、当該ユーザＩＤと関連付けて記憶されているＵＲＬ情報を抽出する処理を実行する。
【００３６】
第二タイトル情報抽出部１６は、ＰＣ端末３から、ユーザＩＤと共に、ＵＲＬ情報の配信要求を受信した際、ＵＲＬ情報記憶ＤＢ１Ｂを参照して、第二ＵＲＬ情報抽出部１５によって抽出されたＵＲＬ情報ごとに関連付けて記憶されているタイトル情報を抽出する処理を実行する。
【００３７】
リンク生成部１７は、ＵＲＬ情報ＤＢ１Ｂにおいて関連付けられていた通りにして、第二タイトル情報抽出部１６によって抽出されたタイトル情報に対し、第二ＵＲＬ情報抽出部１５によって抽出されたＵＲＬ情報を参照先とするハイパーリンクを生成する。
【００３８】
認証処理部１８は、ユーザがＰＣ端末３により、ユーザＩＤとパスワードと共にアクセスしてきた際、ユーザ情報ＤＢ１Ａを参照して、当該ユーザＩＤとパスワードの認証処理を実行する。
【００３９】
通信処理部１９は、携帯端末２、及びＰＣ端末３と、インターネット等のネットワークＮＷを介し、所定のプロトコルに従ってデータの送受信処理を実行する処理部であって、Ｗｅｂブラウザ等により実現される。
この通信処理部１９は、携帯端末２からメールによりＵＲＬ情報を受信したり、ＰＣ端末３との間で、ＵＲＬ情報の配信要求を受信して、要求されたＵＲＬ情報を配信したりする。
【００４０】
携帯端末２は、本実施形態に係るＵＲＬ情報配信システムによって提供されるサービスを利用するユーザが所持する端末である。
この携帯端末２は、いわゆるカメラ付携帯電話機、カメラ付ＰＤＡ（Personal Digital Assistant）、カメラ付ゲーム機等により構成され、コード読取部２１、デコード処理部２２、第三ＵＲＬ情報抽出部２３、メール生成部２４、入出力処理部２５、及び通信処理部２６の各機能ブロックを備える。
【００４１】
コード読取部２１は、ＱＲコード（登録商標）やＰＤＦ−４１７などのニ次元コードを撮像する機能部であって、ＣＣＤカメラ等により実現される。
なお、本例においては、二次元コードを前提としているが、これに限らず、一次元バーコードであっても、ＵＲＬ情報の埋め込みや読み取りは可能である。
【００４２】
デコード処理部２２は、コード読取部２１によって読み取られたニ次元コードをデコードする処理部である。これによって、ニ次元コード中にコード化されて埋め込まれていた情報が具体的に把握される。
【００４３】
第三ＵＲＬ情報抽出部２３は、デコード処理部２２によってデコードされた情報から、ＵＲＬ情報を抽出する処理部である。
ここで、ニ次元コードには、「メール送信先」を示す識別子内にＵＲＬ情報配信装置１のメールアドレスが埋め込まれ、また、「メール本文」を示す識別子内にＵＲＬ情報が埋め込まれている。第三ＵＲＬ情報抽出部２３は、「メール本文」を示す識別子に基づいて、ＵＲＬ情報を抽出することができる。
【００４４】
メール生成部２４は、第三ＵＲＬ情報抽出部２３によって抽出されたＵＲＬ情報と、ユーザによって任意に作成されたタイトル情報とをメール内容とし、ＵＲＬ情報配信装置１を宛先とするメールを生成する処理を実行する。
このメール生成部２４は、ニ次元コードに埋め込まれていたＵＲＬ情報配信装置１のメールアドレスを宛先に設定すると共に、第三ＵＲＬ情報抽出部２３によって抽出されたＵＲＬ情報をメール本文内に挿入したメールを生成する。
また、メール生成部２４によって生成されたメールには、ユーザの任意によって、件名入力欄にタイトル情報を挿入することができる。
【００４５】
入出力処理部２５は、キーボードやタッチパネル、ＬＣＤ（Liquid Crystal Display）等により構成され、ユーザからのデータの入力を受け付けたり、当該受け付けたデータや、ニ次元コードを読み取って取得したデータ等を出力する処理を実行する。
【００４６】
通信処理部２６は、ＵＲＬ情報配信装置１と、インターネット等のネットワークＮＷを介し、所定のプロトコルに従ってデータの送受信処理を実行する処理部であって、Ｗｅｂブラウザ等により実現される。
この通信処理部２６は、ＵＲＬ情報配信装置１に対し、メールによってＵＲＬ情報を送信したりする。
【００４７】
ＰＣ端末３は、本実施形態に係るＵＲＬ情報配信システムによって提供されるサービスを利用するユーザが使用する端末であって、携帯端末２とは異なる端末である。
このＰＣ端末３は、いわゆるパーソナルコンピュータにより構成され、コンピュータプログラムを実行することで、入出力処理部３１、及び通信処理部３２の各機能ブロックを実現できる。
【００４８】
入出力処理部３１は、キーボードやタッチパネル、ＬＣＤ（Liquid Crystal Display）等により構成され、ユーザからのデータの入力を受け付けたり、当該受け付けたデータやネットワークＮＷを介してＵＲＬ情報配信装置１から受信したデータ等を出力する処理を実行する。
【００４９】
通信処理部３２は、ＵＲＬ情報配信装置１と、インターネット等のネットワークＮＷを介し、所定のプロトコルに従ってデータの送受信処理を実行する処理部であって、Ｗｅｂブラウザ等により実現される。
この通信処理部３２は、ＵＲＬ情報配信装置１との間で、ＵＲＬ情報の配信要求を送信したり、要求したＵＲＬ情報の一覧からＷｅｂページを受信したりする。
【００５０】
次に、本実施形態に係るＵＲＬ情報配信システムによる一連の処理の流れについて説明する。
なお、本例のＵＲＬ情報配信システムによって提供されるサービスの享受の開始にあたり、ユーザは、予めユーザ情報をユーザ情報ＤＢ１Ａに登録しておく。
ユーザ情報の登録は、携帯端末２やＰＣ端末３に入力したユーザ情報を、ＵＲＬ情報配信装置１に送信して登録を要求するものとしてもよいし、所定の申込用紙等に記入したユーザ情報を、本サービスの運営者に送付して登録を要求してもよい。
【００５１】
まず、ユーザが携帯端末２によりニ次元コードを読み取ってから、ＵＲＬ情報がＵＲＬ情報配信装置１に登録されるまでの処理の流れについて図５を参照して説明する。
ユーザは、携帯端末２のコード読取部２１により、所望のニ次元コードを読み取る（Ｓ１０１）。
読み取ったニ次元コードは、デコード処理部２２によりデコードされる（Ｓ１０２）。
ここで、デコードによって表示される情報を図６に示す。
【００５２】
図６に示されるように、「メール送信先」を示す識別子（MAILTO）１０１内にはＵＲＬ情報配信装置１のメールアドレス１０１aが挿入されている。また、「件名」を示す識別子（SUBJECT）１０２内は空欄になっている。また、「メール本文」を示す識別子（BODY）１０３内にはＵＲＬ情報１０３ａが挿入されている。さらに、デコードされた内容に基づくメールを作成するための「メール一括作成」ボタン１０４が設けられている。
【００５３】
ここで、ユーザから、デコードされた情報に基づくメールの作成が要求されると、第三ＵＲＬ情報抽出部２３は、「メール本文」を示す識別子（BODY）１０３に基づいて、ＵＲＬ情報１０３ａを抽出する（Ｓ１０３）。
そして、ユーザによって「メール一括作成」ボタン１０４が押下されると、メール生成部２４によって、ＵＲＬ情報配信装置１を宛先とし、メール本文の内容としてＵＲＬ情報を含んだメールが生成される（Ｓ１０４）。
【００５４】
メール生成部２４によって生成されるメールの一例を図７に示す。
図７に示されるように、メールの宛先入力欄１１１には、ニ次元コードをデコードして得られたＵＲＬ情報配信装置１のメールアドレス１１１ａが挿入されている。
また、件名入力欄１１２は空欄になっているが、ユーザの任意の編集によって、タイトル情報を入力することが出来る。
また、メール本文入力欄１１３には、第三ＵＲＬ情報抽出部２３によって抽出されたＵＲＬ情報１１３ａが挿入されている。
【００５５】
ユーザは、任意で件名入力欄１１２にタイトル情報を入力するなどして、ＵＲＬ情報配信装置１に対してメールを送信する（Ｓ１０５）。
【００５６】
メールを受信したＵＲＬ情報配信装置１は、ユーザ特定部１１によりユーザを特定する（Ｓ１０６）。
この処理は、送信元アドレスとして受信したユーザのメールアドレスに基づき、ユーザ情報ＤＢ１Ａを参照して、当該メールアドレスと関連付けて記憶されているユーザを特定することにより実行される。
この結果、ユーザ情報ＤＢ１Ａにおいて、送信元のメールアドレスと一致するユーザＩＤが存在しなかった場合には、メールを送信してきた携帯端末２に対して、新規のユーザ登録を促す返信メールを送信するなどする（Ｓ１０７）。
【００５７】
一方、送信元のメールアドレスと一致するユーザＩＤが存在し、ユーザが特定された場合には、ＵＲＬ情報特定部１２により、メール内容からＵＲＬ情報を特定する（Ｓ１０８）。
この処理は、「http://」や「https://」といったプロトコルの表記を予め記憶したテーブルを参照して、メールの本文から、当該プロトコルの表記で始まる情報をＵＲＬ情報として特定することにより実行される。
この結果、メール本文から、プロトコルの表記が見つけられなかった場合には、メール中にＵＲＬ情報が挿入されていないものとして、その旨の通知を携帯端末２に返信するなどのエラー処理を実行する（Ｓ１０９）。
【００５８】
一方、メール本文中にプロトコルの表記が見つかり、ＵＲＬ情報が特定された場合には、第一ＵＲＬ情報抽出部１３によって、当該特定されたＵＲＬ情報が抽出される（Ｓ１１０）。
【００５９】
さらに、第一タイトル情報抽出部１４は、メールの件名中にテキスト情報が挿入されているか否かを判別し（Ｓ１１１）、テキスト情報が含まれている場合には、当該テキスト情報をタイトル情報として抽出する（Ｓ１１２）。
【００６０】
抽出されたＵＲＬ情報は、ユーザ特定部１１によって特定されたユーザのユーザＩＤと関連付けてＵＲＬ情報ＤＢ１Ｂに記憶される（Ｓ１１３）。
【００６１】
次に、図８を参照して、ユーザのＰＣ端末３からＵＲＬ情報の配信要求がなされ、当該ＵＲＬ情報が配信されるまでの処理の流れを説明する。
ユーザは、ＵＲＬ情報配信装置１に対し、ＰＣ端末３により、予め発行を受けておいたユーザＩＤとパスワードと共に、ＵＲＬ情報の配信要求を送信する（Ｓ２０１）。
【００６２】
これに対してＵＲＬ情報配信装置１は、認証処理部１８により、ユーザ情報ＤＢ１Ａを参照して、受信したユーザＩＤとパスワードの認証処理を実行する（Ｓ２０２）。
この結果、認証に失敗した場合には、パスワードが間違っている旨の通知をＰＣ端末３に返信するなどのエラー処理を実行する（Ｓ２０３）。
【００６３】
一方、認証処理の結果、認証に成功した場合には、第二ＵＲＬ情報抽出部１５により、ＵＲＬ情報ＤＢ１Ｂを参照して、ユーザＩＤと関連付けて記憶されているＵＲＬ情報を抽出する（Ｓ２０４）。
また、第二タイトル情報抽出部１６により、ＵＲＬ情報記憶ＤＢ１Ｂを参照して、第二ＵＲＬ情報抽出部１５によって抽出されたＵＲＬ情報ごとに関連付けて記憶されているタイトル情報を抽出する（Ｓ２０５）。
【００６４】
そして、リンク生成部１７により、ＵＲＬ情報ＤＢ１Ｂにおいて関連付けられていた通りに、当該抽出されたタイトル情報に対し、当該抽出されたＵＲＬ情報を参照先とするハイパーリンクが生成される（Ｓ２０６）。
こうしてハイパーリンクが生成されたタイトル情報は、一覧化されたＷｅｂページとしてＰＣ端末３に送信され（Ｓ２０７）、ＰＣ端末３の入出力処理部３１によって端末上に表示される（Ｓ２０８）。
【００６５】
このＷｅｂページの一例を図９に示す。
図９に示されるように、Ｗｅｂページ１２０には、ユーザＩＤを表示するユーザＩＤ表示欄１２１、ＵＲＬ情報表示欄１２２が設けられている。
ＵＲＬ情報表示欄１２２には、ＵＲＬ情報配信装置１に登録されていたタイトル情報１２２ｂが一覧化して表示されており、各タイトル情報１２２ｂには、当該各タイトル情報１２２ｂと関連付けて記憶されていたＵＲＬ情報がリンク先情報として設定されている。なお、各タイトル情報１２２ｂには、各タイトル情報を受け付けた日時表示１２２ａや、タイトル情報１２２ｂで示されたＵＲＬ情報について削除を選択するチェックボックス１２２ｃ等が適宜設けられ、下方には、チェックボックス１２２ｃにより選択された項目を削除する削除ボタン１２２ｄが設けられている。チェックボックス１２２ｃにチェックが入れられ、削除ボタン１２２ｄが押下された場合には、ＵＲＬ情報配信装置１に対して、タイトル情報１２２ｂによって示されたＵＲＬ情報のうち、選択されたものの削除要求が送信され、当該ＵＲＬ情報がＵＲＬ情報ＤＢ１Ｂから削除される。
【００６６】
ユーザが、各タイトル情報を入出力処理部３１によりクリック等して指定することで、各タイトル情報１２２ｂに設定されたリンク先へＷｅｂページが遷移し、ユーザは所望のＷｅｂページを閲覧することができる。
これにより、ユーザは、ＰＣ端末３のアドレスなど、携帯端末２以外のネットワーク上のアドレスを保有していなくとも、携帯端末２により取得したＵＲＬ情報に基づき、ＰＣ端末３側で当該ＵＲＬ情報の指し示すＷｅｂページを閲覧することができる。また、ＵＲＬ情報が指し示すＷｅｂページによって情報を提供する者は、予め商品・サービス等に関わる全てのＵＲＬ情報を、予めＵＲＬ情報配信装置１に登録しておく必要がなく、便利である。
【００６７】
なお、本例においては、タイトル情報に対し、ＵＲＬ情報をリンク先として設定したが、これに限らず、図１０（ａ）に示されるように、ＵＲＬ情報そのものを一覧化して表示し、ユーザによって指定されたＵＲＬ情報へリンクさせることもできる。
図１０（ａ）に示されるＷｅｂページ１３０ａには、ユーザＩＤ表示欄１２１と同様のユーザＩＤ表示欄１３１が設けられている一方、ＵＲＬ情報表示欄１３２には、ＵＲＬ情報１３２ｂそのものが一覧化して表示されている。なお、このＷｅｂページ１３０ａにおいても、各タイトル情報１３２ｂには、各タイトル情報を受け付けた日時表示１３２ａや、ＵＲＬ情報１３２ｂについて削除を選択するチェックボックス１３２ｃ等が適宜設けられ、下方には、チェックボックス１３２ｃにより選択された項目を削除する削除ボタン１３２ｄが設けられている。
【００６８】
このような表示は、ユーザの携帯端末２から、タイトル情報が得られず、ＵＲＬ情報と関連付けられたタイトル情報がＵＲＬ情報ＤＢ１Ｂに記憶されていなかった場合に行うものとすることもできる。この場合、第二タイトル情報抽出部１６が、ＵＲＬ情報ＤＢ１Ｂを参照して、第二のＵＲＬ情報抽出部１５によって抽出されたＵＲＬ情報と関連付けられたタイトル情報の有無を判別した結果、タイトル情報がなかった場合に、当該ＵＲＬ情報をタイトル情報とする。
【００６９】
また、タイトル情報が得られた場合において、図１０（ｂ）に示されるように、ＵＲＬ情報１３４ｃをリンク先として設定しつつ、各ＵＲＬ情報１３４ｃにテキスト形式のタイトル情報１３４ｂを関連付けて表示するものとしてもよい。なお、このＷｅｂページ１３０ｂにおいても、ユーザＩＤ表示欄１３３、日時表示１３４ａ、ＵＲＬ情報１３４ｃについて削除を選択するチェックボックス１３４ｄ等が適宜設けられ、下方には、チェックボックス１３４ｄにより選択された項目を削除する削除ボタン１３４ｅが設けられている。
【実施例２】
【００７０】
次に、本発明の第二の実施形態について説明する。
本実施形態は、予め、タイトル情報がニ次元コードにコード化されて埋め込まれている場合のシステムの一例である。
図１１に示されるように、本実施形態に係るＵＲＬ情報配信システムは、第一の実施形態と同様に、ＵＲＬ情報配信装置４と、ユーザが利用する携帯端末５と、同じくユーザが利用するＰＣ端末６とがインターネット等のネットワークＮＷを介して通信可能に構成されている。
【００７１】
ＵＲＬ情報配信装置４は、ＣＰＵ（Central Processing Unit）、ＣＰＵが実行するコンピュータプログラム、コンピュータプログラムや所定のデータを記憶するＲＡＭ（Random Access Memory）やＲＯＭ（Reed Only Memory）、及びハードディスクドライブなどの外部記憶装置により、ユーザ情報ＤＢ４Ａ、ＵＲＬ情報ＤＢ４Ｂ、ユーザ特定部４１、ＵＲＬ情報特定部４２、第一ＵＲＬ情報抽出部４３、第一タイトル情報抽出部４４、第二ＵＲＬ情報抽出部４５、第二タイトル情報抽出部４６、リンク生成部４７、認証処理部４８、及び通信処理部４９からなる各機能ブロックを構成する。
【００７２】
なお、ユーザ情報ＤＢ４Ａ、ＵＲＬ情報ＤＢ４Ｂ、ユーザ特定部４１、ＵＲＬ情報特定部４２、第一ＵＲＬ情報抽出部４３、第一タイトル情報抽出部４４、第二ＵＲＬ情報抽出部４５、第二タイトル情報抽出部４６、リンク生成部４７、認証処理部４８、及び通信処理部４９の各機能は夫々、第一の実施形態におけるユーザ情報ＤＢ１Ａ、ＵＲＬ情報ＤＢ１Ｂ、ユーザ特定部１１、ＵＲＬ情報特定部１２、第一ＵＲＬ情報抽出部１３、第一タイトル情報抽出部１４、第二ＵＲＬ情報抽出部１５、第二タイトル情報抽出部１６、リンク生成部１７、認証処理部１８、及び通信処理部１９の各機能と同様の機能を備える。
【００７３】
携帯端末５は、第一の実施形態と同様に、いわゆるカメラ付携帯電話機、カメラ付ＰＤＡ（Personal Digital Assistant）、カメラ付ゲーム機等により構成され、コード読取部５１、デコード処理部５２、第三ＵＲＬ情報抽出部５３、第三タイトル情報抽出部５４、メール生成部５５、入出力処理部５６、及び通信処理部５７の各機能ブロックを備える。
なお、コード読取部５１、デコード処理部５２、第三ＵＲＬ情報抽出部５３、入出力処理部５６、及び通信処理部５７の各機能は夫々、第一の実施形態におけるコード読取部２１、デコード処理部２２、第三ＵＲＬ情報抽出部２３、入出力処理部２５、及び通信処理部２６の各機能と同様の機能を備える。
【００７４】
第三タイトル情報抽出部５４は、デコード処理部５２によってデコードされた情報から、コード化されていたタイトル情報を抽出する処理を実行する。
ここで、ニ次元コードには、第一の実施形態と同様に、「メール送信先」を示す識別子内にＵＲＬ情報配信装置１のメールアドレスが埋め込まれ、また、「メール本文」を示す識別子内にＵＲＬ情報が埋め込まれている。さらに加えて本例では、「件名」を示す識別子内にタイトル情報が埋め込まれている。
第三タイトル情報抽出部５４は、「件名」を示す識別子に基づいて、タイトル情報を抽出することができる。
【００７５】
メール生成部５５は、第三ＵＲＬ情報抽出部５３によって抽出されたＵＲＬ情報と、第三タイトル情報抽出部５３によって抽出されたタイトル情報をメール内容とし、ＵＲＬ情報配信装置１を宛先とするメールを生成する処理を実行する。
このメール生成部５５は、ニ次元コードに埋め込まれていたＵＲＬ情報配信装置４のメールアドレスを宛先に設定すると共に、第三ＵＲＬ情報抽出部５３によって抽出されたＵＲＬ情報をメール本文内に挿入すると共に、第三タイトル情報抽出部５３によって抽出されたタイトル情報をメールの件名内に挿入したメールを生成する。
なお、本例では、メールの件名には、第三タイトル情報抽出部５３によって抽出されたタイトル情報が挿入されるが、ユーザの任意による編集によって当該タイトルを変更することもできる。
【００７６】
ＰＣ端末６は、第一の実施形態と同様に、いわゆるパーソナルコンピュータにより構成され、入出力処理部６１、及び通信処理部６２の各機能ブロックを備える。
なお、入出力処理部６１、及び通信処理部６２の各機能は夫々、第一の実施形態における入出力処理部３１、及び通信処理部３２の各機能と同様の機能を備える。
【００７７】
次に、本実施形態に係るＵＲＬ情報配信システムによる一連の処理の流れのうち、ユーザが携帯端末５によりニ次元コードを読み取ってから、ＵＲＬ情報を含んだメールがＵＲＬ情報配信装置４に対して送信されるまでの処理について、図１２を参照して説明する。
なお、これ以外の処理については、第一の実施形態と同様であり、説明は省略する。
【００７８】
まず、ユーザは、携帯端末５のコード読取部５１により、所望のニ次元コードを読み取る（Ｓ２０１）。
読み取ったニ次元コードは、デコード処理部５２によりデコードされる（Ｓ２０２）。
ここで、デコードによって表示される情報を図１３に示す。
【００７９】
図１３に示されるように、「メール送信先」を示す識別子（MAILTO）１４１内にはＵＲＬ情報配信装置４のメールアドレス１４１aが挿入されている。また、「メールの件名」を示す識別子（SUBJECT）
１４２内にはタイトル情報１４２ａが挿入されている。また、「メール本文」を示す識別子（BODY）１４３内にはＵＲＬ情報１４３ａが挿入されている。さらに、デコードされた内容に基づくメールを作成するための「メール一括作成」ボタン１４４が設けられている。
【００８０】
第三ＵＲＬ情報抽出部５３は、「メール本文」を示す識別子（BODY）１４３に基づいて、ＵＲＬ情報１４３ａを抽出する（Ｓ２０３）。
また、第三タイトル情報抽出部５４は、「メールの件名」を示す識別子（SUBJECT）１４２に基づいて、タイトル情報１４２ａを抽出する（Ｓ２０４）。
そして、ユーザによって「メール一括作成」ボタン１４４が押下されると、メール生成部５５によって、ＵＲＬ情報配信装置４を宛先とし、メール内容としてＵＲＬ情報及びタイトル情報を含んだメールが生成される（Ｓ２０５）。
【００８１】
メール生成部５５によって生成されるメールの一例を図１４に示す。
図１４に示されるように、メールの宛先入力欄１５１には、ニ次元コードをデコードして得られたＵＲＬ情報配信装置４のメールアドレス１５１ａが挿入されている。
また、件名入力欄１５２には、第三タイトル情報抽出部５４によって抽出されたタイトル情報１５２ａが挿入されている。
また、メール本文入力欄１５３には、第三ＵＲＬ情報抽出部５３によって抽出されたＵＲＬ情報１５３ａが挿入されている。
【００８２】
以上により生成されたメールは、ＵＲＬ情報配信装置４に対して送信される（Ｓ２０６）。
このメールを受信したＵＲＬ情報配信装置４は、第一の実施形態におけるＳ１０６以降の処理を実行し、ＵＲＬ情報とタイトル情報とが、ＵＲＬ情報配信装置４に登録される。
本実施形態によれば、ニ次元コード作成者の意図に応じたタイトル情報を、ＵＲＬ情報に付与することができる。
【実施例３】
【００８３】
次に、本発明の第三の実施形態について説明する。
本実施形態は、ニ次元コードに含まれるＵＲＬ情報を、予め登録しておいたドメインにより特定して抽出する場合のシステムの一例である。
図１５に示されるように、本実施形態に係るＵＲＬ情報配信システムは、第一の実施形態と同様に、ＵＲＬ情報配信装置７と、ユーザが利用する携帯端末８と、同じくユーザが利用するＰＣ端末９とがインターネット等のネットワークＮＷを介して通信可能に構成されている。
【００８４】
ＵＲＬ情報配信装置７は、ＣＰＵ（Central Processing Unit）、ＣＰＵが実行するコンピュータプログラム、コンピュータプログラムや所定のデータを記憶するＲＡＭ（Random Access Memory）やＲＯＭ（Reed Only Memory）、及びハードディスクドライブなどの外部記憶装置により、ユーザ情報ＤＢ７Ａ、ＵＲＬ情報ＤＢ７Ｂ、ドメイン情報ＤＢ７Ｃ、ユーザ特定部７１、ＵＲＬ情報特定部７２、第一ＵＲＬ情報抽出部７３、第一タイトル情報抽出部７４、第二ＵＲＬ情報抽出部７５、第二タイトル情報抽出部７６、リンク生成部７７、認証処理部７８、及び通信処理部７９からなる各機能ブロックを構成する。
【００８５】
なお、ユーザ情報ＤＢ７Ａ、ＵＲＬ情報ＤＢ７Ｂ、ユーザ特定部７１、第一ＵＲＬ情報抽出部７３、第一タイトル情報抽出部７４、第二ＵＲＬ情報抽出部７５、第二タイトル情報抽出部７６、リンク生成部７７、認証処理部７８、及び通信処理部７９の各機能は、ユーザ情報ＤＢ１Ａ、ＵＲＬ情報ＤＢ１Ｂ、ユーザ特定部１１、第一ＵＲＬ情報抽出部１３、第一タイトル情報抽出部１４、第二ＵＲＬ情報抽出部１５、第二タイトル情報抽出部１６、リンク生成部１７、認証処理部１８、及び通信処理部１９の各機能と同様の機能を備える。
【００８６】
ドメイン情報ＤＢ７Ｃは、ドメインを記憶した記憶部である。
このドメイン情報ＤＢ７Ｃには、図１６に示されるように、ＵＲＬを識別するためのドメインが記憶されている。なお、ドメインの登録においては、アカウントを識別するためのディレクトリがある場合には適宜、ドメインにディレクトリを付加して登録することもできる。
【００８７】
このドメイン情報ＤＢ７Ｃに記憶されるドメインは例えば、ＵＲＬ情報によって宣伝や広告を行う業者等から予め登録を受け付けて記憶しておく。
このようなＵＲＬ情報によって宣伝や広告を行う業者等から、ドメインの登録を受け付ける場合には、例えば図１７に示されるようなＷｅｂ上の申込画面１６０から、必要な情報を受け付けるとよい。この申込画面１６０には、業者等を特定するＩＤの入力を要求する希望ＩＤ入力欄１６１、認証のための希望ＰＷ（Password）入力欄１６２、登録するドメインを入力する登録ドメイン入力欄１６３、業者等の氏名／法人名、住所、電話、メールアドレスなどの詳細情報入力欄１６４と共に、入力内容の登録を要求する「登録」ボタン１６５が設けられている。
なお、ドメインの登録は、Ｗｅｂ上からのみならず、所定の申込用紙等に記入された内容に基づいて行うこともできる。
【００８８】
ＵＲＬ情報特定部７２は、ドメイン情報記ＤＢ７Ｃに記憶されているドメインに基づき、携帯端末８からＵＲＬ情報として受信したメールから、ＵＲＬ情報を特定する処理を実行する。
携帯端末８から送信されるメールには、本文中にＵＲＬ情報が挿入されているが、これをテキスト情報等と区別して特定するために、ＵＲＬ情報中に含まれるドメインを識別子として用いる。
具体的には、ドメイン情報ＤＢ７Ｃを参照して、メールの本文中に、当該ドメイン情報ＤＢ７Ｃに記憶されているドメインを含む情報をＵＲＬ情報として特定する。
【００８９】
携帯端末８は、第一の実施形態と同様に、いわゆるカメラ付携帯電話機、カメラ付ＰＤＡ（Personal Digital Assistant）、カメラ付ゲーム機等により構成され、コード読取部８１、デコード処理部８２、第三ＵＲＬ情報抽出部８３、メール生成部８４、入出力処理部８５、及び通信処理部８６の各機能ブロックを備える。
なお、コード読取部８１、デコード処理部８２、第三ＵＲＬ情報抽出部８３、メール生成部８４、入出力処理部８５、及び通信処理部８６の各機能は夫々、コード読取部２１、デコード処理部２２、第三ＵＲＬ情報抽出部２３、メール生成部２４、入出力処理部２５、及び通信処理部２６の各機能と同様の機能を備える。
【００９０】
ＰＣ端末９は、第一の実施形態と同様に、いわゆるパーソナルコンピュータにより構成され、入出力処理部９１、及び通信処理部９２の各機能ブロックを備える。
なお、入出力処理部９１、及び通信処理部９２の各機能は夫々、第一の実施形態における入出力処理部３１、及び通信処理部３２の各機能と同様の機能を備える。
【００９１】
次に、本実施形態に係るＵＲＬ情報配信システムによる一連の処理の流れのうち、ユーザが携帯端末８により、ＵＲＬ情報配信装置７に対してＵＲＬ情報を含むメールを送信してから、当該ＵＲＬ情報がＵＲＬ情報配信装置７に登録されるまでの処理について、図１８を参照して説明する。
なお、これ以外の処理については、第一の実施形態と同様であり、説明は省略する。
【００９２】
第一の実施形態におけるＳ１０１からＳ１０５までの処理によって、ユーザの携帯端末８から、ＵＲＬ情報を含んだメールが送信されると、ＵＲＬ情報配信装置７は、これを受信し、ユーザ特定部７１によりユーザを特定する（Ｓ３０１）。
この処理は、送信元アドレスとして受信したユーザのメールアドレスに基づき、ユーザ情報ＤＢ７Ａを参照して、当該メールアドレスと関連付けて記憶されているユーザを特定することにより実行される。
この結果、ユーザ情報ＤＢ７Ａにおいて、送信元のメールアドレスと一致するユーザＩＤが存在しなかった場合には、メールを送信してきた携帯端末８に対して、新規のユーザ登録を促す返信メールを送信するなどする（Ｓ３０２）。
【００９３】
一方、送信元のメールアドレスと一致するユーザＩＤが存在し、ユーザが特定された場合には、ＵＲＬ情報特定部７２により、メール内容からＵＲＬ情報を特定する（Ｓ３０３）。
この処理は、ドメイン情報ＤＢ７Ｃを参照して、メールの本文中に、当該ドメイン情報ＤＢ７Ｃに記憶されているドメインを含む情報をＵＲＬ情報として特定することにより実行される。
この結果、メール本文から、ドメインが見つけられなかった場合、または、メール本文中にＵＲＬ情報はあるがドメイン情報ＤＢ７Ｃに登録がなかった場合には、メール中にＵＲＬ情報が挿入されていないものとして、その旨の通知を携帯端末８に返信するなどのエラー処理を実行する（Ｓ３０４）。
【００９４】
一方、メール本文中にドメインが見つかり、ＵＲＬ情報が特定された場合には、第一ＵＲＬ情報抽出部７３によって、当該特定されたＵＲＬ情報が抽出される（Ｓ３０５）。
【００９５】
さらに、第一タイトル情報抽出部７４は、メールの件名中にテキスト情報が挿入されているか否かを判別し（Ｓ３０６）、テキスト情報が含まれている場合には、当該テキスト情報をタイトル情報として抽出する（Ｓ３０７）。
【００９６】
抽出されたＵＲＬ情報は、ユーザ特定部７１によって特定されたユーザのユーザＩＤと関連付けてＵＲＬ情報ＤＢ７Ｂに記憶される（Ｓ３０８）。
これにより、予め登録しておいたドメインに基づいて、ＵＲＬ情報を特定することができる。また、ドメインの登録に応じて、登録を要求した宣伝・広告会社等を登録しておき、登録の数に応じて課金を行ってもよい。
【００９７】
なお、以上の第一から第三の実施形態においては、ユーザが利用する端末は、ＵＲＬ情報を含むメールを送信する端末を携帯端末２、５、８、ＵＲＬ情報の配信を受ける端末をＰＣ端末３、６、９としたが、これに限らず、ＵＲＬ情報を含むメールをＰＣ端末、ＰＤＡ（Personal Digital Assistant）、若しくはゲーム機等によって送信したり、ＵＲＬ情報の配信を携帯端末により受信することもできる。
また、ユーザの携帯端末からのメールに含まれるＵＲＬ情報の特定は、第一の実施形態により説明したプロトコルによる特定と、第三の実施形態により説明した予め登録したドメインによる特定とを併用することもできる。
【００９８】
さらに、以上の第一から第三の実施形態におけるニ次元コードにおいては、ＵＲＬ情報ないしタイトル情報が夫々、「メール本文」を示す識別子（BODY）内ないし「件名」を示す識別子「SUBJECT」内に挿入されていたが、これに限らず、ＵＲＬ情報ないしタイトル情報が夫々、「件名」を示す識別子「SUBJECT」内ないし「メール本文」を示す識別子（BODY）内に挿入されていてもよい。
このようなニ次元コードが、携帯端末２、５、８のデコード処理部２２、５２、８２によってデコードされた場合の一例を図１９に示す。
【００９９】
図１９（ａ）に示される例では、「件名」を示す識別子（SUBJECT）１７２内にＵＲＬ情報１７２ａが挿入され、「メール本文」を示す識別子（BODY）１７３内は空欄となっている。また、図１９（ｂ）に示される例では、「件名」を示す識別子（SUBJECT）１７５内にＵＲＬ情報１７５ａが挿入されると共に、「メール本文」を示す識別子（BODY）１７６内にタイトル情報１７６ａが挿入されている。
なお、「メール送信先」を示す識別子（MAILTO）１７１、１７４には夫々、ＵＲＬ情報配信装置１、４、７のメールアドレス１７１ａ、１７４ａが挿入されている。
【０１００】
このように各識別子内に挿入されているＵＲＬ情報１７２ａ、１７５ａないしタイトル情報１７６ａは夫々、第三ＵＲＬ情報抽出部２３、５３、８３ないし第三タイトル情報抽出部５４によって、各識別子に基づいて抽出される。
【０１０１】
抽出されたＵＲＬ情報１７２ａ、１７５ａないしタイトル情報１７６ａは、メール作成部２４、５５、８４によって作成されるメールに挿入される。このときの例を図２０に示す。
図１９（ａ）の例に対応して作成されるメールは、図２０（ａ）に示されるように、件名入力欄１８２にＵＲＬ情報１８２ａが挿入されており、メール本文入力欄１８３は空欄となっている。
また、図１９（ｂ）の例に対応して作成されるメールは、図２０（ｂ）に示されるように、件名入力欄１８５にＵＲＬ情報１８５ａが挿入されていると共に、メール本文入力欄１８６にタイトル情報１８６ａが挿入されている。
なお、既述した実施例と同様、メールの宛先入力欄１８１、１８４にはＵＲＬ情報配信装置１、４、７のアドレス１８１ａ、１８４ａが挿入されている。
【０１０２】
こうして作成されたメールは、既述した実施例と同様にしてＵＲＬ情報配信装置１、４、７に送信される。そして、メールの件名入力欄１８２、１８５に挿入されたＵＲＬ情報１８２ａ、１８５ａは、ＵＲＬ情報特定部１２、４２、７２によって特定されると共に、第一ＵＲＬ情報抽出部１３、４３、７３によって抽出される。また、メール本文入力欄１８６にタイトル情報１８６ａが挿入されていた場合には、第一タイトル情報抽出部１４、４４、７４によって当該タイトル情報１８６ａが抽出される。
【０１０３】
また、ニ次元コードに埋め込まれるＵＲＬ情報とタイトル情報は、「メール本文」を示す識別子（BODY）内、あるいは「件名」を示す識別子（SUBJECT）内のいずれか一方にまとめて埋め込んでおくこともできる。
このようなニ次元コードが、携帯端末２、５、８のデコード処理部２２、５２、８２によってデコードされた場合の一例を図２１に示す。
【０１０４】
図２１（ａ）に示される例では、「件名」を示す識別子（SUBJECT）１９２内に、ＵＲＬ情報とタイトル情報とがまとめられたＵＲＬ・タイトル情報１９２ａが挿入され、「メール本文」を示す識別子（BODY）１９３内は空欄となっている。また、図２１（ｂ）に示される例では、「件名」を示す識別子（SUBJECT）１９５内は空欄となっており、「メール本文」を示す識別子（BODY）１９６内に、ＵＲＬ情報とタイトル情報とがまとめられたＵＲＬ・タイトル情報１９６ａが挿入されている。
なお、「メール送信先」を示す識別子（MAILTO）１９１、１９４には夫々、ＵＲＬ情報配信装置１、４、７のメールアドレス１９１ａ、１９４ａが挿入されている。
【０１０５】
このように「件名」を示す識別子（SUBJECT）１９２あるいは「メール本文」を示す識別子（BODY）１９６内に挿入されているＵＲＬ・タイトル情報１９２ａ、１９６ａは、所定の抽出部によって抽出される。
なお、ＵＲＬ・タイトル情報１９２ａ、１９６ａを抽出する処理は、第三ＵＲＬ情報抽出部２３、５３、８３ないし第三タイトル情報抽出部５４による処理と同様に、「件名」を示す識別子（SUBJECT）１９２あるいは「メール本文」を示す識別子（BODY）１９６に基づいて、ＵＲＬ・タイトル情報１９２ａ、１９６ａを抽出する。
【０１０６】
抽出されたＵＲＬ・タイトル情報１９２ａ、１９６ａは、メール作成部２４、５５、８４によって作成されるメールに挿入される。このときの例を図２２に示す。
図２１（ａ）の例に対応して作成されるメールは、図２２（ａ）に示されるように、件名入力欄２０２にＵＲＬ・タイトル情報２０２ａが挿入されており、メール本文入力欄２０３は空欄となっている。
また、図２１（ｂ）の例に対応して作成されるメールは、図２２（ｂ）に示されるように、件名入力欄２０５が空欄となっており、メール本文入力欄２０６にＵＲＬ・タイトル情報２０６ａが挿入されている。
なお、既述した実施例と同様、メールの宛先入力欄２０１、２０４にはＵＲＬ情報配信装置１、４、７のアドレス２０１ａ、２０４ａが挿入されている。
【０１０７】
こうして作成されたメールは、既述した実施例と同様にしてＵＲＬ情報配信装置１、４、７に送信される。そして、メールの件名入力欄２０２あるいはメール本文入力欄２０６に挿入されたＵＲＬ・タイトル情報２０２ａ、２０６ａは、ＵＲＬ情報特定部１２、４２、７２によってＵＲＬ情報が特定された上、第一ＵＲＬ情報抽出部１３、４３、７３によってＵＲＬ情報が抽出される。また、第一タイトル情報抽出部１４、４４、７４によって、ＵＲＬ・タイトル情報からＵＲＬ情報が抽出されて残った部分がタイトル情報として抽出される。
【０１０８】
なお、ＵＲＬ・タイトル情報からＵＲＬ情報ないしタイトル情報を識別して抽出する場合においては、例えば、「http://」（Hypertext Transfer Protocol）、「https://」（Hypertext Transfer Protocol over Secure Socket Layer）、「rtsp://」（Real Time Streaming
Protocol）等のプロトコルの表記以前をタイトル情報として識別すると共に、このプロトコルの表記以後をＵＲＬ情報として識別する。また、ドメイン情報ＤＢ７Ｃに登録されているドメインをＵＲＬ情報として識別すると共に、その残り部分をタイトル情報として識別してもよい。さらに、カンマやスラッシュ等で区切られた部分の前後を、予め決めておいたルールに従い、前半部分をＵＲＬ情報、後半部分をタイトル情報といったように識別してもよい。
【実施例４】
【０１０９】
次に、本発明の第四の実施形態について、図を参照して説明する。
本実施形態は、少なくともＵＲＬ情報を引数として含み、ＵＲＬ情報配信装置にアクセスするためのアドレスがニ次元コードにコード化して埋め込まれ、当該アドレスに基づいてＵＲＬ情報配信装置にアクセスすることで、ＵＲＬ情報をＵＲＬ情報配信装置に送信するシステムの一例である。
図２３に示されるように、本実施形態に係るＵＲＬ情報配信システムは、第一の実施形態と同様に、ＵＲＬ情報配信装置３００と、ユーザが利用する携帯端末４００と、同じくユーザが利用するＰＣ端末５００とがインターネット等のネットワークＮＷを介して通信可能に構成されている。
【０１１０】
ＵＲＬ情報配信装置３００は、ＣＰＵ（Central Processing Unit）、ＣＰＵが実行するコンピュータプログラム、コンピュータプログラムや所定のデータを記憶するＲＡＭ（Random Access Memory）やＲＯＭ（Reed Only Memory）、及びハードディスクドライブなどの外部記憶装置により、ユーザ情報ＤＢ３００Ａ、ＵＲＬ情報ＤＢ３００Ｂ、ユーザ特定部３０１、ＵＲＬ情報特定部３０２、第一ＵＲＬ情報抽出部３０３、第一タイトル情報抽出部３０４、第二ＵＲＬ情報抽出部３０５、第二タイトル情報抽出部３０６、リンク生成部３０７、認証処理部３０８、及び通信処理部３０９からなる各機能ブロックを構成する。
【０１１１】
なお、ＵＲＬ情報ＤＢ３００Ｂ、ユーザ特定部３０１、第二ＵＲＬ情報抽出部３０５、第二タイトル情報抽出部３０６、リンク生成部３０７、認証処理部３０８、及び通信処理部３０９の各機能は、ＵＲＬ情報ＤＢ１Ｂ、ユーザ特定部１１、第二ＵＲＬ情報抽出部１５、第二タイトル情報抽出部１６、リンク生成部１７、認証処理部１８、及び通信処理部１９の各機能と同様の機能を備える。
【０１１２】
ＵＲＬ情報特定部３０２は、携帯端末４００からのアクセスに応じて、アクセス先として指定されたアドレスからＵＲＬ情報を特定する処理を実行する。このアドレスにはＵＲＬ情報が挿入されているところ、ＵＲＬ情報中に含まれるプロトコルの表記を識別子として用いる。
具体的には、「http://」（Hypertext Transfer Protocol）、「https://」（Hypertext Transfer Protocol over Secure Socket Layer）、「rtsp://」（Real Time Streaming
Protocol）等のプロトコルの表記を予め所定のテーブルに記憶しておく。そして、このテーブルを参照して、本文中にこれらのプロトコルの表記で始まる情報をＵＲＬ情報として特定する。
【０１１３】
第一ＵＲＬ情報抽出部３０３は、携帯端末４００からのアクセス先として指定されたアドレスから、ＵＲＬ情報特定部１２によって特定されたＵＲＬ情報を抽出する処理を実行する。
【０１１４】
第一タイトル情報抽出部３０４は、携帯端末４００からのアクセス先として指定されたアドレスに、引数としてコード化されたタイトル情報が含まれているか否かを判別し、含まれている場合には、当該コード化されたタイトル情報を抽出すると共にデコードする処理を実行する。
【０１１５】
ユーザ情報ＤＢ３００Ａは、ユーザに関する情報を記憶した記憶部である。
このユーザ情報ＤＢ３００Ａには、図２４に示されるように、ユーザを識別するユーザＩＤと、パスワードと、ユーザが利用する携帯端末４００の個体識別番号とが相互に関連付けて記憶されている。
ユーザＩＤとパスワードは、第一の実施形態と同様、ユーザがＰＣ端末５００からＵＲＬ情報配信装置３００にアクセスして、ＵＲＬ情報の配信を受ける際に、ユーザを識別ないし認証する情報となる。
個体識別番号は、携帯端末４００のＲＯＭ（Read Only Memory）等に記憶された携帯端末４００固有の識別番号である。この個体識別情報は、所定のアドレスに基づき、携帯端末４００からＵＲＬ情報配信装置３００にアクセスした際、ＵＲＬ情報配信装置３００からの要求に応じて、携帯端末４００からＵＲＬ情報配信装置３００に対して送信される。そして、これを受信したＵＲＬ情報配信装置３００は、当該個体識別番号によって携帯端末４００を識別することができる。
【０１１６】
携帯端末４００は、第一の実施形態と同様に、いわゆるカメラ付携帯電話機、カメラ付ＰＤＡ（Personal Digital Assistant）、カメラ付ゲーム機等により構成され、コード読取部４０１、デコード処理部４０２、入出力処理部４０３、及び通信処理部４０４の各機能ブロックを備える。
なお、コード読取部４０１、デコード処理部４０２、入出力処理部４０３、及び通信処理部４０４の各機能は夫々、第一の実施形態におけるコード読取部２１、デコード処理部２２、入出力処理部２５、及び通信処理部２６の各機能と同様の機能を備える。
【０１１７】
ＰＣ端末５００は、第一の実施形態と同様に、いわゆるパーソナルコンピュータにより構成され、入出力処理部５０１、及び通信処理部５０２の各機能ブロックを備える。
なお、入出力処理部５０１、及び通信処理部５０２の各機能は夫々、第一の実施形態における入出力処理部３１、及び通信処理部３２の各機能と同様の機能を備える。
【０１１８】
次に、本実施形態に係るＵＲＬ情報配信システムによる一連の処理の流れのうち、ユーザが携帯端末４００によりニ次元コードを読み取ってから、ＵＲＬ情報ないしタイトル情報がＵＲＬ情報配信装置３００に登録されるまでの処理について、図２５を参照して説明する。
なお、これ以外の処理については、第一の実施形態と同様であり、説明は省略する。
また、本例のＵＲＬ情報配信システムによって提供されるサービスの享受の開始にあたり、ユーザは、予めユーザ情報をユーザ情報ＤＢ３００Ａに登録しておく。ユーザ情報の登録は例えば、携帯端末４００に入力したユーザ情報、及び携帯端末４００の個体識別情報を、ＵＲＬ情報配信装置３００に送信することによって要求することができる。
【０１１９】
ユーザは、携帯端末４００のコード読取部４０１により、所望のニ次元コードを読み取る（Ｓ４０１）。
読み取ったニ次元コードは、デコード処理部４０２によりデコードされる（Ｓ４０２）。
ここで、デコードによって表示される情報を図２６に示す。
【０１２０】
図２６に示されるように、ニ次元コードには、ＵＲＬ情報配信装置３００をアクセス先とするアドレス２１１が埋め込まれている。このアドレス２１１はさらに、第一の引数としてＵＲＬ情報を含み、第二の引数としてコード化されたタイトル情報を含んでいる。
【０１２１】
ユーザは、デコードされたアドレスに基づき、ＵＲＬ情報配信装置３００にアクセスする（Ｓ４０３）。
【０１２２】
携帯端末４００からのアクセスを受けたＵＲＬ情報配信装置３００は、携帯端末４００の個体識別情報の取得要求を送信する（Ｓ４０４）。
これに応じて、携帯端末４００は、ＵＲＬ情報配信装置３００に対して個体識別情報を送信する（Ｓ４０５）。
【０１２３】
携帯端末４００から個体識別情報を受信したＵＲＬ情報配信装置３００は、ユーザ特定部３０１によりユーザを特定する（Ｓ４０６）。
この処理は、受信した個体識別情報に基づき、ユーザ情報ＤＢ３００Ａを参照して、当該個体識別情報と関連付けて記憶されているユーザを特定することにより実行される。
この結果、ユーザ情報ＤＢ３００Ａにおいて、個体識別情報と一致するユーザＩＤが存在しなかった場合には、アクセスしてきた携帯端末４００に対して、新規のユーザ登録を促すメッセージを送信するなどする（Ｓ４０７）。
【０１２４】
一方、個体識別情報と一致するユーザＩＤが存在し、ユーザが特定された場合には、ＵＲＬ情報特定部３０２により、アドレスからＵＲＬ情報を特定する（Ｓ４０８）。
この処理は、「http://」や「https://」といったプロトコルの表記を予め記憶したテーブルを参照して、アドレスから、当該プロトコルの表記で始まる情報をＵＲＬ情報として特定することにより実行される。
この結果、アドレスから、プロトコルの表記が見つけられなかった場合には、アドレス中にＵＲＬ情報が含まれていないものとして、その旨の通知を携帯端末４００に返信するなどのエラー処理を実行する（Ｓ４０９）。
【０１２５】
一方、アドレス中にプロトコルの表記が見つかり、ＵＲＬ情報が特定された場合には、第一ＵＲＬ情報抽出部３０３によって、当該特定されたＵＲＬ情報が抽出される（Ｓ４１０）。
【０１２６】
さらに、第一タイトル情報抽出部３０４は、アドレス中に、引数としてコード化されたタイトル情報が含まれているか否かを判別する（Ｓ４１１）。その結果、タイトル情報が含まれている場合には、当該タイトル情報を抽出し（Ｓ４１２）、デコードする（Ｓ４１３）。
【０１２７】
抽出されたＵＲＬ情報、及び、タイトル情報が含まれていた場合には抽出してデコードされたタイトル情報が、ユーザ特定部３０１によって特定されたユーザのユーザＩＤと関連付けてＵＲＬ情報ＤＢ３００Ｂに記憶される（Ｓ４１４）。
【０１２８】
これにより、携帯端末４００がメール作成の機能を利用しなくとも、あるいはメール作成の機能を備えない場合であっても、ＵＲＬ情報の登録を行うことができる。
【０１２９】
なお、本実施形態においては、ＵＲＬ情報の特定を、第一の実施形態と同様に、プロトコルの表記から特定したが、これに限らず、第三の実施形態と同様に、所定のデータベースに登録しておいたドメインに基づいて特定するものとしてもよい。
【０１３０】
なお、以上の実施形態において、ユーザが閲覧する際のＵＲＬ情報ないしはタイトル情報の一覧は、ユーザが日常的に閲覧するポータルサイト等にインラインフレームで組み込んでもよい。
【０１３１】
また、以上の実施形態においては、ユーザは、ニ次元コードからＵＲＬ情報、タイトル情報、ないしはＵＲＬ情報配信装置のアドレスを取得する場合について述べたが、これに限らず、赤外線や、Ｂｌｕｅｔｏｏｔｈ等の近距離無線通信等により取得する場合においても適用が可能である。
【符号の説明】
【０１３２】
１、４、７、３００      ＵＲＬ情報配信装置
１１、４１、７１、３０１      ユーザ特定部
１２、４２、７２、３０２      ＵＲＬ情報特定部
１３、４３、７３、３０３      第一ＵＲＬ情報抽出部
１４、４４、７４、３０４      第一タイトル情報抽出部
１５、４５、７５、３０５      第二ＵＲＬ情報抽出部
１６、４６、７６、３０６      第二タイトル情報抽出部
１７、４７、７７、３０７      リンク生成部
１８、４８、７８、３０８      認証処理部
１９、４９、７９、３０９      通信処理部
１Ａ、４Ａ、７Ａ、３００Ａ      ユーザ情報ＤＢ
１Ｂ、４Ｂ、７Ｂ、３００Ｂ      ＵＲＬ情報ＤＢ
７Ｃ      ドメイン情報ＤＢ
２、５、８、４００      携帯端末
２１、５１、８１、４０１      コード読取部
２２、５２、８２、４０２      デコード処理部
２３、５３、８３      第三ＵＲＬ情報抽出部
２４、５５、８４      メール生成部
２５、５６、８５、４０３      入出力処理部
２６、５７、８６、４０４      通信処理部
５４      第三タイトル情報抽出部
３、６、９、５００      ＰＣ端末
３１、６１、９１、５０１      入出力処理部
３２、６２、９２、５０２      通信処理部
ＮＷ      ネットワーク
【図１】
2011150440.tif 000003
【図２】
2011150440.tif 000004
【図３】
2011150440.tif 000005
【図４】
2011150440.tif 000006
【図５】
2011150440.tif 000007
【図６】
2011150440.tif 000008
【図７】
2011150440.tif 000009
【図８】
2011150440.tif 000010
【図９】
2011150440.tif 000011
【図１０】
2011150440.tif 000012
【図１１】
2011150440.tif 000013
【図１２】
2011150440.tif 000014
【図１３】
2011150440.tif 000015
【図１４】
2011150440.tif 000016
【図１５】
2011150440.tif 000017
【図１６】
2011150440.tif 000018
【図１７】
2011150440.tif 000019
【図１８】
2011150440.tif 000020
【図１９】
2011150440.tif 000021
【図２０】
2011150440.tif 000022
【図２１】
2011150440.tif 000023
【図２２】
2011150440.tif 000024
【図２３】
2011150440.tif 000025
【図２４】
2011150440.tif 000026
【図２５】
2011150440.tif 000027
【図２６】
2011150440.tif 000028